(57)【要約】【課題】  遊技機などの被搬送物を効率的にかつ正確に仕分けして搬出することができる搬送ライン装置を提供すること。【解決手段】  搬送ライン装置３１は、主搬送ライン３２、回転搬送部２１、搬出搬送ライン３７、退避搬送部３９ａ，３９ｂ及びＣＰＵ５１を備える。回転搬送部２１は、搬出搬送ライン３７及び退避搬送部３９ａ，３９ｂからパチンコ機１０を選択的に搬送する。搬出搬送ライン３７は、パチンコ機１０を回転搬送部２１を介して受け入れて搬出する。退避搬送部３９ａ，３９ｂは、パチンコ機１０を回転搬送部２１を介して退避させるとともに、退避させたパチンコ機１０を再び回転搬送部２１側に搬送し戻す。ＣＰＵ５１は、主搬送ライン３２、回転搬送部２１、搬出搬送ライン３７及び退避搬送部３９ａ，３９ｂを制御する。【選択図】  図１
2006232503.tif 000002
【特許請求の範囲】
【請求項１】
遊技機または遊技盤を被搬送物として搬送する主搬送ラインと、
前記主搬送ラインの終端部近傍に配置され、複数の搬送先の中から前記被搬送物を選択的に搬送する選択搬送手段と、
前記選択搬送手段の下流側に配置され、前記主搬送ラインにより搬送されてきた被搬送物を前記選択搬送手段を介して受け入れて搬出する搬出搬送ラインと、
前記選択搬送手段近傍において前記搬出搬送ラインとは異なる箇所に配置され、前記主搬送ラインにより搬送されてきた被搬送物を前記選択搬送手段を介して一時的に退避させるとともに、退避させた被搬送物を再び前記選択搬送手段側に搬送し戻す退避搬送部と、
前記主搬送ライン、前記搬出搬送ライン、前記退避搬送部の搬送動作を制御するとともに、前記搬出搬送ライン及び前記退避搬送部の中から選択した搬送先に前記被搬送物を搬送する前記選択搬送手段の選択搬送動作を制御する搬送制御手段と
を備えたことを特徴とする搬送ライン装置。
【請求項２】
前記被搬送物に、同被搬送物の種類を識別するための識別情報が付与されており、
前記主搬送ライン上にある被搬送物の識別情報の内容を識別する第１識別手段と、
前記搬出搬送ラインの始端部または選択搬送手段にある被搬送物の識別情報の内容を識別する第２識別手段と、
前記第２識別手段にて識別された識別情報を記憶する記憶手段と、
前記退避搬送部上にある被搬送物の識別情報の内容を識別する第３識別手段と
を備え、
前記搬送制御手段は、
前記第１識別手段にて識別された識別情報の内容、及び、前記記憶手段に記憶されている識別情報の内容の少なくとも一部が一致するか否かを判定するとともに、前記第３識別手段にて識別された識別情報の内容、及び、前記記憶手段に記憶されている識別情報の内容の少なくとも一部が一致するか否かを判定する識別情報判定手段と、
前記識別情報判定手段による判定結果に基づいて、前記主搬送ライン上にある被搬送物を前記搬出搬送ラインに搬送させるか前記退避搬送部上にある被搬送物を前記搬出搬送ラインに搬送させるかを決定する搬送態様決定手段と
を備えることを特徴とする請求項１に記載の搬送ライン装置。
【請求項３】
前記第１識別手段にて識別された識別情報の内容、及び、前記記憶手段に記憶されている識別情報の内容の少なくとも一部が一致するとともに、前記第３識別手段にて識別された識別情報の内容、及び、前記記憶手段に記憶されている識別情報の内容の少なくとも一部が一致することが前記識別情報判定手段によって判定された場合、
前記搬送態様決定手段は、前記主搬送ラインから前記搬出搬送ラインへの前記被搬送物の搬送よりも、前記退避搬送部から前記搬出搬送ラインへの前記被搬送物の搬送を優先させる制御を行うことを特徴とする請求項２に記載の搬送ライン装置。
【発明の詳細な説明】
【技術分野】
【０００１】
本発明は、パチンコ機などに代表される遊技機や遊技盤を搬送する際などに用いられる搬送ライン装置に関するものである。
【背景技術】
【０００２】
従来より、ホールから回収した遊技機をリユースすることが行われている（例えば、特許文献１参照）。具体的には、回収した遊技機の部品を再利用して新たにの遊技機を製造し、その遊技機を再びホールに納入することが行われている。そして、検査ラインで合格した新品の遊技機は、仕分作業によって回収したホールごとにまとめられる。
【特許文献１】特開２００２−１７２２１９号公報（図１など）
【発明の開示】
【発明が解決しようとする課題】
【０００３】
しかし、この仕分作業は通常手作業であるため、効率が良いとは言い難く、長時間の作業によって仕分けミスが生じるおそれがある。また、作業者の熟練度によって作業効率に著しい差が生じるという問題もある。
【０００４】
本発明は上記の課題に鑑みてなされたものであり、その目的は、遊技機などの被搬送物を効率的にかつ正確に仕分けして搬出することができる搬送ライン装置を提供することにある。
【課題を解決するための手段】
【０００５】
上記の課題を解決するために、請求項１に記載の発明は、遊技機または遊技盤を被搬送物として搬送する主搬送ラインと、前記主搬送ラインの終端部近傍に配置され、複数の搬送先の中から前記被搬送物を選択的に搬送する選択搬送手段と、前記選択搬送手段の下流側に配置され、前記主搬送ラインにより搬送されてきた被搬送物を前記選択搬送手段を介して受け入れて搬出する搬出搬送ラインと、前記選択搬送手段近傍において前記搬出搬送ラインとは異なる箇所に配置され、前記主搬送ラインにより搬送されてきた被搬送物を前記選択搬送手段を介して一時的に退避させるとともに、退避させた被搬送物を再び前記選択搬送手段側に搬送し戻す退避搬送部と、前記主搬送ライン、前記搬出搬送ライン、前記退避搬送部の搬送動作を制御するとともに、前記搬出搬送ライン及び前記退避搬送部の中から選択した搬送先に前記被搬送物を搬送する前記選択搬送手段の選択搬送動作を制御する搬送制御手段とを備えたことを特徴とする搬送ライン装置をその要旨とする。
【０００６】
従って、請求項１に記載の発明によると、主搬送ラインにより搬送されてきた被搬送物群に異種の被搬送物が混入していたとしても、異種の被搬送物を選択搬送手段を介して一時的に退避搬送部に退避させることができる。そして、退避させた被搬送物と同種の被搬送物を主搬送ラインで搬送する際に、退避させた被搬送物を再び選択搬送手段側に搬送し戻すことにより、搬送し戻した被搬送物を主搬送ラインからの被搬送物とともに搬出搬送ラインから搬出させることができる。これにより、被搬送物を種類ごとに仕分けして搬出することができる。なお、被搬送物の仕分作業は、搬送制御手段で選択搬送手段の選択搬送動作を制御することにより行われるため、手作業による従来の仕分作業よりも効率的に仕分作業を行うことができ、仕分作業に伴う仕分けミスの発生も抑制できる。
【０００７】
ここで、選択搬送手段は、複数の搬送先の中から前記被搬送物を選択的に搬送可能な構成を有するものであれば適宜利用可能である。選択搬送手段としては、例えば、被搬送物を把持して搬送するロボットハンドなどが挙げられる。
【０００８】
なお、前記選択搬送手段は、前記主搬送ラインの搬送面、前記搬出搬送ラインの搬送面及び前記退避搬送部の搬送面と同じ高さに位置する搬送面を有し、鉛直方向に延びる回転軸を中心として回転可能な構造の回転搬送部であることが好ましい。
【０００９】
このようにすれば、選択搬送手段の搬送面が、主搬送ライン、搬出搬送ライン及び退避搬送部の搬送面と同じ高さに位置しており、選択搬送手段が鉛直方向に延びる回転軸を中心として回転するため、選択搬送手段の選択搬送動作を行う際に、選択搬送手段を上下方向に動かさなくても済む。しかも、選択搬送手段と主搬送ラインとのつなぎ目、選択搬送手段と搬出搬送ラインとのつなぎ目、及び、選択搬送手段と退避搬送部とのつなぎ目に段差が生じなくなる。よって、選択搬送手段の選択搬送動作をスムーズに行うことができる。
【００１０】
また、選択搬送手段の搬送面が、主搬送ライン、搬出搬送ライン及び退避搬送部の搬送面と同じ高さに位置するため、選択搬送手段と主搬送ラインとの間、選択搬送手段と搬出搬送ラインとの間、及び、選択搬送手段と退避搬送部との間で被搬送物を移動させる際に、被搬送物の姿勢を変えなくても済む。さらには、被搬送物を直立状態で搬送することもできる。また、選択搬送手段は回転搬送部であるため、被搬送物が直立状態で搬送される場合に、回転搬送部上において被搬送物を回転させることにより、被搬送物の表面側及び裏面側に対する作業を行うことができる。
【００１１】
回転搬送部は、例えば、回転搬送部を回転させる回転駆動手段と、被搬送物を支持する複数の転動体とを含んでいる。転動体を含む回転搬送部としては、回転搬送部に所定間隔を隔てて回転可能に設けられ、被搬送物が載置される複数のローラと、ローラを駆動させるモータなどのアクチュエータとからなるものなどが挙げられる。また、回転搬送部に所定間隔を隔てて回転可能に設けられる複数のローラと、複数のローラに巻回され、被搬送物を支持するベルト部材と、ローラを駆動させるモータなどのアクチュエータとからなるもの（いわゆる「ベルトコンベア」）などが挙げられる。
【００１２】
なお、退避搬送部を単数または複数備え、選択搬送手段が回転搬送部である場合、前記主搬送ライン、前記搬出搬送ライン及び前記退避搬送部は、前記回転搬送部の回転軸を中心として互いに等角度間隔に配置されることが好ましい。このようにすれば、回転搬送部を等角度ずつ回転させることで、回転搬送部を主搬送ライン側、搬出搬送ライン側及び退避搬送部側のいずれかに回転させることができるため、搬送制御手段による回転搬送部の回転制御が容易になる。
【００１３】
なお、前記主搬送ラインと前記搬出搬送ラインとの配置態様は特に限定されないが、一直線上に配置されることが好ましい。このようにすれば、主搬送ラインにより搬送されてきた被搬送物が、向きを変えずに選択搬送手段を介して搬出搬送ラインに搬送されるため、被搬送物をスムーズに搬送できる。
【００１４】
また、退避搬送部は、被搬送物を選択搬送手段を介して一時的に退避させるとともに、退避させた被搬送物を再び選択搬送手段側に搬送し戻す機構を含んでいる。この機構としては、例えば、被搬送物を支持する複数の転動体などが挙げられる。転動体を含む退避搬送部としては、退避搬送部に所定間隔を隔てて回転可能に設けられ、被搬送物が載置される複数のローラと、ローラを駆動させるモータなどのアクチュエータとからなるものなどが挙げられる。また、退避搬送部に所定間隔を隔てて回転可能に設けられる複数のローラと、複数のローラに巻回され、被搬送物を支持するベルト部材と、ローラを駆動させるモータなどのアクチュエータとからなるもの（いわゆる「ベルトコンベア」）などが挙げられる。
【００１５】
なお、退避搬送部は、搬送ライン装置に１つだけ設けられていてもよいし、複数設けられていてもよい。また、退避搬送部は、被搬送物を１台だけ退避させるものであってもよいが、被搬送物を複数台退避させるものであってもよい。このようにすれば、退避搬送部の数を増やさなくても、多数の被搬送物を退避させることができる。
【００１６】
また、前記退避搬送部を複数備えることが好ましい。このようにすれば、退避搬送部を複数備えることにより、例えば、主搬送ラインにより搬送されてきた被搬送物群に異種の被搬送物が複数混入していたとしても、異種の被搬送物の全てを退避搬送部に退避させやすくなる。また、退避搬送部ごとに同種の被搬送物を退避させることができる。即ち、被搬送物の種類に応じて被搬送物を退避させる退避搬送部を決定できるため、被搬送物をより細かく仕分けすることができる。
【００１７】
なお、選択搬送手段が前記回転搬送部であり、前記被搬送物が存在しない前記退避搬送部が複数ある場合、被搬送物を退避搬送部に退避させる態様としては、前記被搬送物が存在しない複数の前記退避搬送部のうち、前記主搬送ライン側から前記退避搬送部側までの前記回転搬送部の回転角度が最小となる退避搬送部に、前記主搬送ライン上にある被搬送物を退避させることなどが挙げられる。このようにすれば、主搬送ライン上にある被搬送物を退避搬送部に退避させる時間と、退避搬送部上にある被搬送物を搬出搬送ラインに搬送させる時間とが短くて済むため、仕分作業をより効率的に行うことができる。
【００１８】
請求項２に記載の発明は、請求項１において、前記被搬送物に、同被搬送物の種類を識別するための識別情報が付与されており、前記主搬送ライン上にある被搬送物の識別情報の内容を識別する第１識別手段と、前記搬出搬送ラインの始端部または選択搬送手段にある被搬送物の識別情報の内容を識別する第２識別手段と、前記第２識別手段にて識別された識別情報を記憶する記憶手段と、前記退避搬送部上にある被搬送物の識別情報の内容を識別する第３識別手段とを備え、前記搬送制御手段は、前記第１識別手段にて識別された識別情報の内容、及び、前記記憶手段に記憶されている識別情報の内容の少なくとも一部が一致するか否かを判定するとともに、前記第３識別手段にて識別された識別情報の内容、及び、前記記憶手段に記憶されている識別情報の内容の少なくとも一部が一致するか否かを判定する識別情報判定手段と、前記識別情報判定手段による判定結果に基づいて、前記主搬送ライン上にある被搬送物を前記搬出搬送ラインに搬送させるか前記退避搬送部上にある被搬送物を前記搬出搬送ラインに搬送させるかを決定する搬送態様決定手段とを備えることをその要旨とする。
【００１９】
従って、請求項２に記載の発明によると、主搬送ライン、搬出搬送ライン、退避搬送部及び選択搬送手段の搬送制御手段による制御が、第１識別手段、第２識別手段及び第３識別手段にて識別した被搬送物の識別情報の内容に基づいて行われる。これにより、被搬送物の種類や被搬送物の位置（即ち、どういった種類の被搬送物がどこにあるか）などを正確に知ることができるため、被搬送物の仕分作業がより正確に行われる。よって、仕分けミスの発生をより確実に抑制することができる。
【００２０】
さらに、例えば、第１識別手段にて識別された識別情報の内容、及び、記憶手段に記憶されている識別情報の内容の少なくとも一部が一致する場合に、主搬送ライン上にある被搬送物の搬出搬送ラインへの搬送を決定することができる。また、第３識別手段にて識別された識別情報の内容、及び、記憶手段に記憶されている識別情報の内容の少なくとも一部が一致する場合に、退避搬送部上にある被搬送物の搬出搬送ラインへの搬送を決定することができる。よって、搬出搬送ラインへの被搬送物の搬送により、搬出搬送ライン上にある被搬送物に異種の被搬送物が混入することを防止できる。
【００２１】
また、被搬送物に識別情報が付与されているため、かかる識別情報が付与されていない場合に比べて、識別情報に基づいて容易かつ正確に判別できる。
【００２２】
しかも、搬出搬送ラインを最後に通過した被搬送物の識別情報を、第２識別手段にて識別して記憶手段に記憶することができるため、既に通過して搬出搬送ライン上に被搬送物が存在していなくても、記憶手段に記憶されている識別情報に基づいて、識別情報判定手段による判定を行うことができる。
【００２３】
ここで、識別情報としては、出荷先（ホール）を示す出荷先情報、スペック（大当り確率、賞球数など）を示すスペック情報などが挙げられる。また、前記被搬送物に付与される識別情報は、重要度に応じてランク付けされた複数種類の情報を含んでいることが好ましい。具体的には、識別情報が、仕分作業において最も重要度が高い前記出荷先情報と、出荷先情報よりも重要度が低い前記スペック情報とを含むことが考えられる。このようにすれば、被搬送物を大分類にまとめた上で、さらに中分類や小分類にまとめることができる。例えば、まず出荷先情報により被搬送物を大分類（例えば、甲ホールグループ、乙ホールグループ、丙ホールグループ）にまとめた上で、次にスペック情報により、大分類（例えば、甲ホールグループ）の被搬送物を中分類（例えば、甲ホールＡタイプグループ、甲ホールＢタイプグループ、甲ホールＣタイプグループ）にまとめることができる。従って、出荷時における被搬送物の数、種類の確認が容易になる。
【００２４】
なお、被搬送物に識別情報を付与する態様としては、識別情報の内容を記載したシールを被搬送物に貼付することや、識別情報の内容をバーコード化または二次元コード化して表示したシールを被搬送物に貼付することなどが挙げられる。また、識別情報の内容を記憶した磁気テープを被搬送物に貼付することや、識別情報の内容を記憶したマイクロチップを被搬送物に埋設することなどが挙げられる。
【００２５】
また、第１識別手段、第２識別手段及び第３識別手段としては、識別情報の内容がバーコード化または二次元コード化されている場合、識別情報の内容を撮像するＣＣＤカメラなどが挙げられる。さらに、識別情報の内容が磁気テープに記憶されている場合、識別情報の内容を読み取る磁気読取ヘッドなどが挙げられる。また、識別情報の内容がマイクロチップに記憶されている場合、マイクロチップから送信された信号（識別情報の内容を含む信号）を受信する受信装置などが挙げられる。
【００２６】
なお、第１識別手段は、主搬送ラインに複数設けられていることが好ましい。このようにすれば、主搬送ライン上にある被搬送物の識別情報の内容を特定の第１識別手段にて識別できなかったとしても、他の第１識別手段にて識別することができる。従って、主搬送ライン上にある被搬送物の識別情報の内容を、複数の第１識別手段によって確実に識別することができる。さらに、第１識別手段は、主搬送ラインにおいて所定間隔を隔てて複数設けられていることが好ましい。このようにすれば、主搬送ラインにより搬送されてきた被搬送物群に異種の被搬送物が混入している場合に、異種の被搬送物がどのタイミングで選択搬送手段に搬送されてくるかを予想することができる。
【００２７】
なお、識別情報が既に記憶手段に記憶されている場合に、記憶手段が前記第２識別手段にて識別された識別情報を新たに記憶する態様としては、例えば既に記憶されている識別情報を記憶手段から消去しておいて、新たに第２識別手段にて識別された識別情報を記憶手段に記憶させることや、記憶手段に既に記憶されている識別情報に新たな識別情報を上書きすることなどが挙げられる。このようにすれば、識別情報が新たに記憶される度に不要となった過去の識別情報が消去されていくため、記憶手段が容量不足となることを防止できる。
【００２８】
請求項３に記載の発明は、請求項２において、前記第１識別手段にて識別された識別情報の内容、及び、前記記憶手段に記憶されている識別情報の内容の少なくとも一部が一致するとともに、前記第３識別手段にて識別された識別情報の内容、及び、前記記憶手段に記憶されている識別情報の内容の少なくとも一部が一致することが前記識別情報判定手段によって判定された場合、前記搬送態様決定手段は、前記主搬送ラインから前記搬出搬送ラインへの前記被搬送物の搬送よりも、前記退避搬送部から前記搬出搬送ラインへの前記被搬送物の搬送を優先させる制御を行うことをその要旨とする。
【００２９】
本来であれば、上記の判定結果のときには退避搬送部から搬出搬送ラインへの被搬送物の搬送よりも、主搬送ラインから搬出搬送ラインへの被搬送物の搬送を優先させてもよいが、請求項３に記載の発明では、退避搬送部から搬出搬送ラインへの被搬送物の搬送が優先される。これにより、退避搬送部上にある被搬送物は、短期間で搬出搬送ラインに搬送されるようになるため、退避搬送部が満杯になりにくくなる。ゆえに、退避搬送部が満杯のために新たに被搬送物を退避できない可能性が低くなる。
【００３０】
また、前記退避搬送部上にある被搬送物を前記搬出搬送ラインに搬送させることが前記搬送態様決定手段によって決定された場合、前記搬送制御手段は、前記退避搬送部を駆動させて前記退避搬送部上にある被搬送物を前記選択搬送手段側に搬送し戻すとともに、前記選択搬送手段を駆動させて前記選択搬送手段側に搬送し戻した被搬送物を前記搬出搬送ラインに搬出させ、前記搬出搬送ラインに搬出された被搬送物の識別情報の内容を前記第２識別手段にて識別させ、その識別情報を前記記憶手段に記憶させることが好ましい。
【００３１】
このようにすれば、被搬送物が退避搬送部から搬出搬送ラインに搬出された際に、搬出された被搬送物の識別情報が新たに記憶手段に記憶される。そして、新たに記憶された識別情報に基づいて、退避搬送部から搬出搬送ラインに搬出された被搬送物と同種の被搬送物を、主搬送ラインから搬出搬送ラインに搬出させることができる。また、退避搬送部を複数備える場合に、被搬送物が１つの退避搬送部から搬出搬送ラインに搬出されたときも、搬出された被搬送物の識別情報が新たに記憶手段に記憶される。そして、新たに記憶された識別情報に基づいて、退避搬送部から搬出搬送ラインに搬出された被搬送物と同種の被搬送物を、別の退避搬送部から搬出搬送ラインに搬出させることができる。ゆえに、搬出搬送ライン上にある被搬送物の種類が変更された際に仕分けミスが発生する可能性を低くすることができる。
【００３２】
また、前記識別情報判定手段は、前記記憶手段に記憶されている識別情報の内容、及び、前記第１識別手段にて識別された識別情報の内容の少なくとも一部が一致するか否かを判定し、前記搬送態様決定手段は、前記識別情報判定手段による判定結果に基づいて、前記主搬送ライン上にある被搬送物を、前記搬出搬送ラインに搬出させるか前記退避搬送部に退避させるかを決定することが好ましい。
【００３３】
このようにすれば、例えば、記憶手段に記憶されている識別情報の内容、及び、第１識別手段にて識別された識別情報の内容の少なくとも一部が一致する場合に、主搬送ライン上にある被搬送物の搬出搬送ラインへの搬出を決定することができる。また、記憶手段に記憶されている識別情報の内容、及び、第１識別手段にて識別された識別情報の内容の少なくとも一部が一致しない場合に、主搬送ライン上にある被搬送物の退避搬送部への退避を決定することができる。よって、異種の被搬送物が混入した被搬送物群がそのまま搬出搬送ラインから搬出される可能性を小さくすることができる。
【００３４】
また、前記主搬送ライン上にある被搬送物を前記搬出搬送ラインに搬出させることが前記搬送態様決定手段によって決定された場合、前記搬送制御手段は、前記選択搬送手段を駆動させて前記主搬送ライン上にある被搬送物を前記搬出搬送ラインに搬出させるとともに、前記搬出搬送ラインに搬出された被搬送物の識別情報の内容を前記第２識別手段にて識別させ、その識別情報を前記記憶手段に記憶させることが好ましい。
【００３５】
このようにすれば、主搬送ライン上にある被搬送物の識別情報の内容、及び、搬出搬送ライン上にある被搬送物の識別情報の内容の少なくとも一部が一致するか否かにかかわらず、主搬送ライン上にある被搬送物が搬出搬送ラインに搬出されると、搬送制御手段は、被搬送物の識別情報の内容を第２識別手段にて識別させ、その識別情報を記憶手段に記憶させる。これにより、搬出搬送ライン上にある被搬送物の識別情報の内容と記憶手段に記憶されている識別情報の内容とが異なる可能性が小さくなるため、仕分けミスが発生する可能性がよりいっそう小さくなる。
【００３６】
また、前記主搬送ライン上にある被搬送物を前記退避搬送部に退避させることが前記搬送態様決定手段によって決定された場合、前記搬送制御手段は、前記選択搬送手段を駆動させて前記主搬送ライン上にある被搬送物を前記退避搬送部に退避させるとともに、前記退避搬送部に退避させた被搬送物の識別情報の内容を前記第３識別手段にて識別させることが好ましい。
【００３７】
このようにすれば、退避搬送部に退避させた被搬送物の識別情報の内容を第３識別手段にて識別させることにより、退避搬送部上の被搬送物の有無も認識することができる。このため、新たに別の被搬送物を退避搬送部に退避させる際に、退避させる被搬送物と既に退避搬送部上にある被搬送物との衝突を回避することができる。
【発明の効果】
【００３８】
以上詳述したように、請求項１〜３に記載の発明によれば、被搬送物を効率的にかつ正確に仕分けして搬出することができる搬送ライン装置を提供することができる。
【００３９】
特に、請求項２に記載の発明によれば、仕分ミスの発生がより少なくなる。
【発明を実施するための最良の形態】
【００４０】
以下、本発明を、パチンコ遊技機（以下、「パチンコ機」という）を搬送する際に用いられる搬送ライン装置として具体化した一実施形態を図１〜図２１に基づき説明する。
（１）搬送ライン装置３１全体の概略構成
【００４１】
図１，図２に示されるように、搬送ライン装置３１では、矢印Ｆ１方向にパチンコ機１０（被搬送物及び遊技機）を直立状態で搬送する作業が行われるようになっている。搬送ライン装置３１は、パチンコ機１０を複数台同時に並べて支持可能な長さを有しており、数ｍ〜十数ｍの全長を有している。そして、パチンコ機１０を搬送する過程では、パチンコ機１０に対する機能検査などが行われる。
【００４２】
一方、パチンコ機１０の底面１０ａには、遊技機識別用シールが貼付されている。遊技機識別用シールには、パチンコ機１０の種類を識別するための識別情報が二次元コード化されて表示されている。なお、二次元コードの具体例としては、ＱＲコード（株式会社デンソーウェーブの登録商標）が挙げられる。識別情報は、重要度に応じてランク付けされた複数種類の情報を含んでいる。本実施形態において、識別情報は、パチンコ機１０の出荷先を示す出荷先情報（第１順位情報）と、パチンコ機１０のスペックを示すスペック情報（第２順位情報）とを含んでいる。なお、出荷先情報は、パチンコ機１０の仕分けにおいて重要度が最も高い情報であり、スペック情報は、出荷先情報よりも重要度が低い情報である。
【００４３】
図２に示されるように、搬送ライン装置３１は、パチンコ機１０を搭載可能なライン本体３３と、そのライン本体３３を支持するベースフレーム３４とを備えている。このベースフレーム３４の高さは、ライン本体３３に搭載されたパチンコ機１０が作業者の腰から胸の間に位置するような高さに設定されている。
【００４４】
図１，図２に示されるように、搬送ライン装置３１は、主搬送ライン３２、搬出搬送ライン３７、回転搬送部２１（選択搬送手段）及び一対の退避搬送部３９ａ，３９ｂによって構成されている。主搬送ライン３２及び搬出搬送ライン３７は、搬送方向（矢印Ｆ１方向）に沿って一直線上に配置されており、搬送機能を有している。回転搬送部２１は、主搬送ライン３２と搬出搬送ライン３７との間に配置されており、搬送機能に加え回転機能を有している。両退避搬送部３９ａ，３９ｂは、回転搬送部２１近傍において主搬送ライン３２及び搬出搬送ライン３７とは異なる箇所に配置されており、搬送機能を有している（図１参照）。具体的に言うと、退避搬送部３９ａは、図２において回転搬送部２１の手前側に配置され、退避搬送部３９ｂは、図２において回転搬送部２１の奥側に配置されている。そして、両退避搬送部３９ａ，３９ｂは、搬送方向と直交する方向に沿って一直線上に配置されている。
（２）主搬送ライン３２
【００４５】
図２に示されるように、主搬送ライン３２は、複数のコンベア支持部４４ｂによって支持された遊技機搬送用ローラコンベア４４を備えている。遊技機搬送用ローラコンベア４４には、複数の下側ローラ６１が、所定間隔を隔てて回転可能に配設されている。各下側ローラ６１は、いずれも同一の高さに配置されており、パチンコ機１０の搬送方向に沿って一直線上に配置されている。そして、各下側ローラ６１の周面は、遊技機搬送用ローラコンベア４４にパチンコ機１０が搭載された際に、パチンコ機１０の底面１０ａに接触するようになっている。そして、各下側ローラ６１は、パチンコ機１０の搬送時に転動して同パチンコ機１０のスムーズな移動を促すようになっている。
【００４６】
図１，図２に示されるように、各下側ローラ６１は、回転駆動モータ４８などのアクチュエータによって回転駆動されるようになっている。具体的には、各下側ローラ６１は、下側ローラ６１に巻回された図示しないタイミングベルトなどの動力伝達機構により、一体的に回転駆動される。
【００４７】
一方、図２に示されるように、遊技機搬送用ローラコンベア４４の上方にある上側フレーム４５には、搬送方向に延びる断面コ字状のレール４６が設けられている。レール４６は、パチンコ機１０の上部の厚さよりも若干幅広（例えば１〜２ｃｍ）に形成されており、パチンコ機１０の上部を挿入した状態でパチンコ機１０が倒れないように支持している。
【００４８】
従って、こうした遊技機搬送用ローラコンベア４４に搭載されたパチンコ機１０は、底面１０ａが前記下側ローラ６１によって支持されるとともに、上部がレール４６によって支持される。このため、下側ローラ６１が回転すると、パチンコ機１０は、上部及び下部が支持された状態で図１，図２の矢印Ｆ１方向（即ち搬送方向）に搬送される。これにより、搬送時におけるパチンコ機１０の転倒が防止される。
【００４９】
図１，図２に示されるように、主搬送ライン３２には、複数（本実施形態では６個）の第１識別装置５２ａ〜５２ｆ（第１識別手段）が設けられている。各第１識別装置５２ａ〜５２ｆは、主搬送ライン３２の延びる方向に沿って所定間隔を隔てて設けられており、各下側ローラ６１間に配置されている。本実施形態において、各第１識別装置５２ａ〜５２ｆは、主搬送ライン３２上にあるパチンコ機１０を撮像するＣＣＤカメラである。第１識別装置５２ａ〜５２ｆは、パチンコ機１０に貼付された前記遊技機識別用シールを撮像して、遊技機識別用シールに付与されたパチンコ機１０の識別情報の内容（前記出荷先情報及び前記スペック情報）を画像データとして出力するようになっている。
（３）搬出搬送ライン３７
【００５０】
前記搬出搬送ライン３７は、回転搬送部２１の下流側に配置されており、主搬送ライン３２により搬送されてきたパチンコ機１０を前記回転搬送部２１を介して受け入れて搬出するようになっている。この搬出搬送ライン３７は、主搬送ライン３２と略同一の構成を有している。
【００５１】
図１，図２に示されるように、搬出搬送ライン３７には、第２識別装置５６（第２識別手段）が設けられている。第２識別装置５６は、搬出搬送ライン３７の始端部において、搬出搬送ライン３７の遊技機搬送用ローラコンベア４４を構成する下側ローラ６１間に配置されている。本実施形態において、第２識別装置５６は、搬出搬送ライン３７上にあるパチンコ機１０を撮像するＣＣＤカメラであり、前記第１識別装置５２ａ〜５２ｆと同様のものが用いられている。第２識別装置５６は、パチンコ機１０に貼付された前記遊技機識別用シールを撮像して、遊技機識別用シールに付与されたパチンコ機１０の識別情報の内容（前記出荷先情報及び前記スペック情報）を画像データとして出力するようになっている。
（４）退避搬送部３９ａ，３９ｂ
【００５２】
前記退避搬送部３９ａ，３９ｂは、主搬送ライン３２により搬送されてきたパチンコ機１０を回転搬送部２１を介して一時的に退避させるとともに、退避させたパチンコ機１０を再び回転搬送部２１側に搬送し戻すようになっている。これら退避搬送部３９ａ，３９ｂは、主搬送ライン３２及び搬出搬送ライン３７と略同一の構成を有している（図２参照）。即ち、退避搬送部３９ａ，３９ｂは、遊技機搬送用ローラコンベア４４及び前記レール４６などを備えている。
【００５３】
図１に示されるように、退避搬送部３９ａには第３識別装置５９ａ（第３識別手段）が設けられ、退避搬送部３９ｂには第３識別装置５９ｂ（第３識別手段）が設けられている。第３識別装置５９ａは、退避搬送部３９ａの遊技機搬送用ローラコンベア４４を構成する下側ローラ６１間に配置されており、第３識別装置５９ｂは、退避搬送部３９ｂの遊技機搬送用ローラコンベア４４を構成する下側ローラ６１間に配置されている。本実施形態において、第３識別装置５９ａ，５９ｂは、退避搬送部３９ａ，３９ｂ上にあるパチンコ機１０を撮像するＣＣＤカメラであり、前記第１識別装置５２ａ〜５２ｆ及び前記第２識別装置５６と同様のものが用いられている。第３識別装置５９ａ，５９ｂは、パチンコ機１０に貼付された前記遊技機識別用シールを検知して、遊技機識別用シールに付与されたパチンコ機１０の識別情報の内容（前記出荷先情報及び前記スペック情報）を画像データとして出力するようになっている。なお、第３識別装置５９ａ，５９ｂによって識別される識別情報の内容は、出荷先情報及びスペック情報だけではなく、退避搬送部３９ａ，３９ｂ上にパチンコ機１０が存在するか否かを示す情報も含んでいる。
（５）回転搬送部２１
【００５４】
図１，図２に示されるように、前記回転搬送部２１は、前記主搬送ライン３２、前記搬出搬送ライン３７及び退避搬送部３９ａ，３９ｂと同様の搬送機能を有している。さらに、回転搬送部２１は、主搬送ライン３２の搬送方向に対して角度をなすように回転することにより搬出搬送ライン３７及び退避搬送部３９ａ，３９ｂの中からパチンコ機１０の搬送先を選択する機能を有している。回転搬送部２１は、主搬送ライン３２の終端部近傍であって、搬出搬送ライン３７及び退避搬送部３９ａ，３９ｂの始端部近傍に配置されている。回転搬送部２１は、主搬送ライン３２の搬送面、搬出搬送ライン３７の搬送面及び退避搬送部３９ａ，３９ｂの搬送面と同じ高さに位置する搬送面を有している。図２に示されるように、回転搬送部２１は、上部支持レール３６、遊技機移動用ローラコンベア４３及びフレーム部材３５などを備えている。上部支持レール３６は、フレーム部材３５に取り付けられるとともに、中央部が支持軸４７の基端に接続されている。なお、支持軸４７は、先端部が前記上側フレーム４５を挿通しており、上側フレーム４５に対して回転可能になっている。また、上部支持レール３６は、断面コ字状をなし、遊技機移動用ローラコンベア４３の上方に設けられている。上部支持レール３６は、パチンコ機１０の上部の厚さよりも若干幅広（例えば１〜２ｃｍ）に形成されており、パチンコ機１０の上部を挿入した状態でパチンコ機１０が倒れないように支持している。即ち、上部支持レール３６は、前記レール４６と略同様の構成をなしている。
【００５５】
また、フレーム部材３５には、パチンコ機１０を搬送させる遊技機移動用ローラコンベア４３（搬送手段）が回転搬送部２１の径方向に沿って直線状に形成されている。これにより、遊技機移動用ローラコンベア４３は、フレーム部材３５の回転に伴い、同フレーム部材３５に取り付けられた上部支持レール３６と同じ角度だけ回転する。また、遊技機移動用ローラコンベア４３は、パチンコ機１０が搬送可能な状態でパチンコ機１０の下部を支持するようになっている。詳述すると、遊技機移動用ローラコンベア４３には、複数の下側ローラ２２が、所定間隔を隔てて回転可能に配設されている。なお、本実施形態において、各下側ローラ２２は、前記遊技機搬送用ローラコンベア４４に設けられた前記下側ローラ６１と同一のものである。
【００５６】
図１，図２に示されるように、各下側ローラ２２は、回転駆動モータ４９などのアクチュエータによって回転駆動されるようになっている。回転駆動モータ４９は、遊技機移動用ローラコンベア４３においてコンベア支持部４３ａの側方に配置されている。具体的には、各下側ローラ２２は、下側ローラ２２に巻回され、回転駆動モータ４９によって駆動される図示しないタイミングベルトなどの動力伝達機構により、一体的に回転駆動される。
【００５７】
また、図２に示されるように、遊技機移動用ローラコンベア４３は、コンベア支持部４３ａに支持されており、鉛直方向に延びるコンベア支持部４３ａの回転軸を中心として回転可能な構造となっている。コンベア支持部４３ａは、遊技機移動用ローラコンベア４３の中央部分に設けられている。コンベア支持部４３ａは、前記ベースフレーム３４によって支持されており、回転駆動モータ５４によって回転駆動されるようになっている。回転駆動モータ５４は、コンベア支持部４３ａの側部に設けられており、図示しないギヤなどを介してコンベア支持部４３ａを駆動するようになっている。また、遊技機移動用ローラコンベア４３は、回転前の状態において、一端が前記主搬送ライン３２の遊技機搬送用ローラコンベア４４の終端に近接するとともに、他端が前記搬出搬送ライン３７の遊技機搬送用ローラコンベア４４の始端に近接している。遊技機移動用ローラコンベア４３の端部と遊技機搬送用ローラコンベア４４の端部との間隔は、回転時に遊技機移動用ローラコンベア４３が遊技機搬送用ローラコンベア４４に接触しない程度であって、パチンコ機１０が落下しない程度に設定されている。
【００５８】
なお、図１に示されるように、前記回転搬送部２１は、コンベア支持部４３ａを中心として平面視時計回り方向及び平面視反時計回り方向に何回転でも回転可能になっている。そして、回転搬送部２１を搬出搬送ライン３７側に回転（遊技機移動用ローラコンベア４３を搬送方向に対して１８０°回転）させると、遊技機移動用ローラコンベア４３の一端と搬出搬送ライン３７の始端とが近接するとともに、遊技機移動用ローラコンベア４３の他端と主搬送ライン３２の終端とが近接する。さらに、回転搬送部２１を退避搬送部３９ａ，３９ｂ側に回転（遊技機移動用ローラコンベア４３を搬送方向に対して９０°回転）させると、遊技機移動用ローラコンベア４３の一端と退避搬送部３９ａの先端とが近接するとともに、遊技機移動用ローラコンベア４３の他端と退避搬送部３９ｂの先端とが近接する。
（６）搬送ライン装置３１の電気的構成
【００５９】
図１に示されるように、搬送ライン装置３１はＣＰＵ５１（搬送制御手段）を備えている。ＣＰＵ５１は、主搬送ライン３２、搬出搬送ライン３７及び退避搬送部３９ａ，３９ｂの搬送動作を制御するようになっている。具体的には、ＣＰＵ５１は、主搬送ライン３２の前記回転駆動モータ４８、搬出搬送ライン３７の回転駆動モータ４８、及び退避搬送部３９ｂの回転駆動モータ４８に対して各々モータドライバ回路（図示略）を介して接続され、それらの駆動を制御するようになっている。また、ＣＰＵ５１は、回転搬送部２１の選択搬送動作（搬出搬送ライン３７及び退避搬送部３９ａ，３９ｂの中から選択した搬送先にパチンコ機１０を搬送する動作）を制御するようになっている。具体的には、ＣＰＵ５１は、モータドライバ回路を介して前記回転駆動モータ４９及び前記回転駆動モータ５４の駆動を制御するようになっている。
【００６０】
また、ＣＰＵ５１は、パチンコ機１０の移動先を振り分けるプログラムをメモリに記憶させるようになっている。例えば、ＣＰＵ５１は、主搬送ライン３２上にあるパチンコ機１０の出荷先が搬出搬送ライン３７上にあるパチンコ機１０の出荷先とは異なる場合に主搬送ライン３２上にあるパチンコ機１０を退避搬送部３９ａに移動させるプログラムを、メモリに記憶させるようになっている。また、ＣＰＵ５１には、キーボード５５及びディスプレイ５７が接続されている。キーボード５５は、パチンコ機１０の出荷計画などの情報をＣＰＵ５１に入力するためのものである。また、キーボード５５は、前記プログラムに基づいて主搬送ライン３２上にあるパチンコ機１０を退避搬送部３９ａに移動させるときの条件となるデータをＣＰＵ５１に入力するためのものである。ディスプレイ５７は、主搬送ライン３２の遊技機搬送用ローラコンベア４４上に存在するパチンコ機１０の数、搬出搬送ライン３７の遊技機搬送用ローラコンベア４４上に存在するパチンコ機１０の数、退避搬送部３９ａ，３９ｂ上にパチンコ機１０が存在するか否かなどを表示するようになっている。なお、ディスプレイ５７は、搬送ライン装置３１の動作状態を簡略化した平面図（図３参照）を表示してもよいし、搬送ライン装置３１での異常の発生を示すマークを表示してもよい。
【００６１】
また、ＣＰＵ５１には、記憶手段としてのＲＡＭ５８（図１参照）が接続されている。ＲＡＭ５８には、前記第２識別装置５６から出力された前記画像データが含む識別情報の内容が記憶されるようになっている。
【００６２】
さらに、ＣＰＵ５１は、モータドライバ回路を介して前記各回転駆動モータ４８の回転駆動を制御するようになっている。具体的に言うと、ＣＰＵ５１は、回転搬送部２１の遊技機移動用ローラコンベア４３が搬送方向に対して角度をなす回転位置にある場合（０°，１８０°ではない場合、即ち、搬送方向に対して平行ではない場合）に、主搬送ライン３２の前記遊技機搬送用ローラコンベア４４にある回転駆動モータ４８を停止させるようになっている。これにより、前記各下側ローラ６１が停止して、主搬送ライン３２上のパチンコ機１０が停止する。また、ＣＰＵ５１は、遊技機移動用ローラコンベア４３が搬送方向に対して平行となる回転位置にある場合（０°，１８０°である場合）に、退避搬送部３９ａ，３９ｂの遊技機搬送用ローラコンベア４４にある回転駆動モータ４８を停止させるようになっている。これにより、各下側ローラ６１が停止して、退避搬送部３９ａ，３９ｂ上のパチンコ機１０が停止する。
【００６３】
次に、搬送ライン装置３１によるパチンコ機１０の仕分方法を図３〜図２１を参照して説明する。なお、説明の便宜上、第１識別装置５２ａ〜５２ｆにて識別された識別情報を識別情報Ｉ１、第２識別装置５６にて識別された識別情報を識別情報Ｉ２、第３識別装置５９ａ，５９ｂにて識別された識別情報を識別情報Ｉ３とする。また、図７〜図２１において、パチンコ機１０に付与された符号「甲Ａ」は、パチンコ機１０の出荷先が甲ホールであることを示し、パチンコ機１０のスペックがＡタイプであることを示している。符号「甲Ｂ」は、出荷先が甲ホール、スペックがＢタイプであることを示し、符号「甲Ｃ」は、出荷先が甲ホール、スペックがＣタイプであることを示している。さらに、符号「乙Ｂ」は、出荷先が乙ホール、スペックがＢタイプであることを示し、符号「乙Ｃ」は、出荷先が乙ホール、スペックがＣタイプであることを示している。なお、各出荷先は、識別情報に含まれる前記出荷先情報の内容と一致し、各スペックは、識別情報に含まれる前記スペック情報の内容と一致している。
【００６４】
以下、搬送ライン装置３１のＣＰＵ５１によって行われる処理（搬出処理）について説明する。例えば、図７に示されるように、主搬送ライン３２上を複数のパチンコ機１０が搬送されてくると、図３に示されるステップＳ１００の処理において、ＣＰＵ５１は、第１識別装置５２ａを介して、主搬送ライン３２の終端部にあるパチンコ機１０（甲Ａ）の識別情報Ｉ１を取得する。具体的に言うと、ＣＰＵ５１は、第１識別装置５２ａから出力された画像データが含む識別情報Ｉ１を取得する。なお、主搬送ライン３２上にある他のパチンコ機１０の識別情報Ｉ１は、第１識別装置５２ｂ〜５２ｆによって取得されるものとする。そして、ＣＰＵ５１は、ステップＳ１１０の処理へ移行する。
【００６５】
ステップＳ１１０において、ＣＰＵ５１は、ＲＡＭ５８に前記識別情報Ｉ２が記憶されているか否かを判定する。即ち、ＣＰＵ５１は、『識別情報記憶判定手段』としての機能を有している。なお、図７では、パチンコ機１０が搬出搬送ライン３７上を通過する前の状態であるため、ＲＡＭ５８に識別情報Ｉ２は記憶されていない。このため、ＣＰＵ５１は、ステップＳ１１０の判定を「ＮＯ」として、ステップＳ１３０の処理へ移行する。
【００６６】
ステップＳ１３０において、ＣＰＵ５１は、第３識別装置５９ａ，５９ｂの少なくとも一方を介して前記識別情報Ｉ３を取得しているか否か、即ち、退避搬送部３９ａ，３９ｂの少なくとも一方にパチンコ機１０があるか否かを判定する。図７の状態では、退避搬送部３９ａ，３９ｂのどちらにもパチンコ機１０がないため、ＣＰＵ５１は、識別情報Ｉ３を取得していないと判定して（ステップＳ１３０：Ｎ）、ステップＳ１５０の処理へ移行する。ステップＳ１５０において、ＣＰＵ５１は、主搬送ライン３２を指定搬送ラインとしてＲＡＭ５８に記憶する。これにより、主搬送ライン３２上にあるパチンコ機１０（甲Ａ）を搬出搬送ライン３７に搬出させることが決定される。その後、ＣＰＵ５１は、ステップＳ２７０の処理（搬出実行処理）へ移行する。
【００６７】
次に、ステップＳ２７０において、ＣＰＵ５１は、図４に示すサブルーチンを実行する。図４のサブルーチンは、ステップＳ５００〜Ｓ５７０の処理からなる。ステップＳ５００において、ＣＰＵ５１は、モータドライバ回路を介して回転搬送部２１が有する回転駆動モータ５４を回転駆動して、回転搬送部２１を指定搬送ライン（主搬送ライン３２）側に回転させる。具体的には、回転搬送部２１の遊技機移動用ローラコンベア４３の一端を主搬送ライン３２の終端に近接させる。しかし、図７の状態では、既に回転搬送部２１が主搬送ライン３２側に位置しているため、ＣＰＵ５１は、特に回転搬送部２１を回転させずに、ステップＳ５１０の処理へ移行する。
【００６８】
ステップＳ５１０において、ＣＰＵ５１は、指定搬送ライン（主搬送ライン３２）上のパチンコ機１０（甲Ａ）を回転搬送部２１上に移動させる。具体的には、ＣＰＵ５１は、モータドライバ回路を介して主搬送ライン３２が有する回転駆動モータ４８を駆動させて各下側ローラ６１を回転させる。それとともに、ＣＰＵ５１は、モータドライバ回路を介して回転搬送部２１が有する回転駆動モータ４９を駆動させて、各下側ローラ２２を各下側ローラ６１と同方向に回転させ、主搬送ライン３２の遊技機搬送用ローラコンベア４４から回転搬送部２１にパチンコ機１０（甲Ａ）を搬入する（図８参照）。それに伴い、パチンコ機１０（甲Ａ）の直後にあるパチンコ機１０（甲Ｂ）が、主搬送ライン３２の終端部に搬送される。そして、ステップＳ５２０において、ＣＰＵ５１は、ＲＡＭ５８に記憶されている指定搬送ラインを消去して、ステップＳ５２５の処理へ移行する。ステップＳ５２５において、ＣＰＵ５１は、ＲＡＭ５８に記憶されている特定情報を消去する。しかし、この時点では、ＲＡＭ５８に何ら特定情報が記憶されていないため、特定情報の消去を行わずに、ステップＳ５３０の処理へ移行する。そして、ステップＳ５３０において、ＣＰＵ５１は、モータドライバ回路を介して回転搬送部２１の回転駆動モータ５４を回転駆動して、回転搬送部２１を搬出搬送ライン３７側に回転させる。具体的には、回転搬送部２１の遊技機移動用ローラコンベア４３の一端を搬出搬送ライン３７の始端に近接させる。しかし、図８の状態では、既に回転搬送部２１が搬出搬送ライン３７側に位置しているため、ＣＰＵ５１は、特に回転搬送部２１を回転させずに、ステップＳ５４０の処理へ移行する。ステップＳ５４０において、ＣＰＵ５１は、モータドライバ回路を介して回転搬送部２１が有する回転駆動モータ４９を駆動させて、各下側ローラ２２を回転させる。これにより、パチンコ機１０が回転搬送部２１の遊技機移動用ローラコンベア４３から搬出搬送ライン３７上に搬出される（図９参照）。
【００６９】
そして、ステップＳ５６０において、ＣＰＵ５１は、第２識別装置５６を介して、搬出搬送ライン３７上に搬出されたパチンコ機１０（甲Ａ）の識別情報Ｉ２を取得する。具体的に言うと、ＣＰＵ５１は、第２識別装置５６から出力された画像データが含む識別情報Ｉ２を取得する。そして、ＣＰＵ５１は、識別情報Ｉ２をＲＡＭ５８に記憶させ、ステップＳ５７０の処理へ移行する。ステップＳ５７０において、ＣＰＵ５１は、搬出搬送ライン３７の搬送を開始させてパチンコ機１０（甲Ａ）を搬出し、本サブルーチンを終了する。
【００７０】
ここで、図４に示されるサブルーチンが終了すると、ＣＰＵ５１は、図３に示される前記ステップＳ２７０の処理を終了し、ここでの処理（搬出処理）を終了する。
【００７１】
次に、主搬送ライン３２の終端部にあるパチンコ機１０（甲Ｂ）の搬送先を決定する。即ち、前記ステップＳ１００の処理において、ＣＰＵ５１は、パチンコ機１０（甲Ｂ，乙Ｂ，甲Ａ，乙Ｃ）の識別情報Ｉ１を取得して、ステップＳ１１０の処理へ移行する。ここで、識別情報Ｉ２は、前記ステップＳ５６０においてＲＡＭ５８に記憶されているため、ＣＰＵ５１は、ステップＳ１１０の判定を「ＹＥＳ」として、ステップＳ１２０の処理へ移行する。
【００７２】
ステップＳ１２０において、ＣＰＵ５１は、ＲＡＭ５８から識別情報Ｉ２を取得する。即ち、ＣＰＵ５１は、『識別情報取得手段』としての機能を有している。そして、ステップＳ１６０において、ＣＰＵ５１は、第３識別装置５９ａ，５９ｂの少なくとも一方が前記識別情報Ｉ３を取得しているか、即ち、退避搬送部３９ａ上及び退避搬送部３９ｂ上の少なくとも一方にパチンコ機１０があるか否かを判定する。即ち、ＣＰＵ５１は、『識別判定手段』としての機能を有している。なお、図９では、退避搬送部３９ａ上にも退避搬送部３９ｂ上にもパチンコ機１０がないため、第３識別装置５９ａも第３識別装置５９ｂも識別情報Ｉ３を取得できない。このため、ＣＰＵ５１は、ステップＳ１６０の判定を「ＮＯ」として、ステップＳ１８０の処理へ移行する。
【００７３】
ステップＳ１８０において、ＣＰＵ５１は、識別情報Ｉ２の内容と前記識別情報Ｉ１の内容とで、出荷先情報（識別情報の内容の少なくとも一部）が一致するものがあるか否かを判定する。即ち、ＣＰＵ５１は、『第３の順位情報判定手段』としての機能を有している。なお、図９の状態では、識別情報Ｉ２はパチンコ機１０（甲Ａ）のものであり、識別情報Ｉ１はパチンコ機１０（甲Ｂ，乙Ｂ，甲Ａ，乙Ｃ）のものである。よって、出荷先が同じ甲ホールとなるものが存在するため、出荷先情報が一致するものがあると判定される（ステップＳ１８０：Ｙ）。このため、ＣＰＵ５１は、ステップＳ２１０の処理へ移行する。なお、仮に出荷先情報が一致するものがないと判定されれば（ステップＳ１８０：Ｎ）、ＣＰＵ５１は、ステップＳ１５０の処理へ移行する。
【００７４】
ステップＳ２１０において、ＣＰＵ５１は、識別情報Ｉ２の内容と識別情報Ｉ１の内容とで、出荷先情報に加えて前記スペック情報も一致するものがあるか否かを判定する。即ち、ＣＰＵ５１は、『第５の順位情報判定手段』としての機能を有している。なお、図９の状態では、識別情報Ｉ２はパチンコ機１０（甲Ａ）のものであり、識別情報Ｉ１はパチンコ機１０（甲Ｂ，乙Ｂ，甲Ａ，乙Ｃ）のものである。よって、スペックが同じＡタイプとなるものが存在するため、スペック情報が一致するものがあると判定される（ステップＳ２１０：Ｙ）。この場合、ＣＰＵ５１は、ステップＳ２５０の処理へ移行する。そして、ステップＳ２５０において、ＣＰＵ５１は、識別情報Ｉ２の出荷先情報及びスペック情報の両方を特定情報としてＲＡＭ５８に記憶し、ステップＳ２６０の処理（退避決定処理）へ移行する。
【００７５】
ステップＳ２６０において、ＣＰＵ５１は、図５に示すサブルーチンを実行する。図５のサブルーチンは、ステップＳ３００〜Ｓ４２０の処理からなる。ステップＳ３００において、ＣＰＵ５１は、ＲＡＭ５８から特定情報（出荷先情報及びスペック情報）を取得する。即ち、ＣＰＵ５１は、『特定情報取得手段』としての機能を有している。
【００７６】
そして、ステップＳ３２０において、ＣＰＵ５１は、第１識別装置５２ａにて取得した識別情報Ｉ１が、特定情報と一致しないか否かを判定する。即ち、ＣＰＵ５１は、『識別情報内容判定手段』としての機能を有している。なお、図９の状態では、識別情報Ｉ１はパチンコ機１０（甲Ｂ）のものであり、特定情報に含まれる出荷先情報は、出荷先が甲ホールとなることを示す情報であるため、出荷先は同じ甲ホールとなる。しかし、特定情報に含まれるスペック情報は、Ａスペックであることを示す情報であるため、スペック情報は一致しない。従って、識別情報Ｉ１は特定情報と一致しないと判定される（ステップＳ３２０：Ｙ）。このため、ＣＰＵ５１は、ステップＳ３２５の処理へ移行する。
【００７７】
ステップＳ３２５において、ＣＰＵ５１は、第１識別装置５２ｂ〜５２ｆを介して取得したパチンコ機１０の識別情報Ｉ１の内容のうち、特定情報と一致するものがあるか否かを判定する。換言すると、ＣＰＵ５１は、主搬送ライン３２の終端部以外の箇所にあるパチンコ機１０のうち、識別情報Ｉ１の内容が特定情報に一致するものがあるか否かを判定する。即ち、ＣＰＵ５１は、『識別可否判定手段』としての機能を有している。図９の状態では、第１識別装置５２ｃによって識別されたパチンコ機１０（甲Ａ）の識別情報Ｉ１が特定情報に一致する。よって、取得した識別情報Ｉ１の内容のうち、特定情報と一致するものがあると判定されるため（ステップＳ３２５：Ｙ）、ＣＰＵ５１は、ステップＳ３５０の処理へ移行する。
【００７８】
ステップＳ３５０において、ＣＰＵ５１は、前記第３識別装置５９ａを介して取得した識別情報Ｉ３に基づいて、退避搬送部３９ａに空きがあるか否かを判定する。換言すると、ＣＰＵ５１は、識別情報Ｉ３の有無に基づいて、パチンコ機１０が存在しない退避搬送部３９ａの有無を確認する。即ち、ＣＰＵ５１は、『退避搬送部確認手段』としての機能を有している。なお、図９の状態では、退避搬送部３９ａに空きがあるため（ステップＳ３５０：Ｙ）、ＣＰＵ５１は、ステップＳ３９０の処理へ移行する。
【００７９】
ステップＳ３９０において、ＣＰＵ５１は、退避搬送部３９ａを指定搬送ラインとしてＲＡＭ５８に記憶する。これにより、主搬送ライン３２上にあるパチンコ機１０を退避搬送部３９ａに退避させることが決定される。その後、ＣＰＵ５１は、本サブルーチンを終了する。
【００８０】
ここで、図５に示されるサブルーチンが終了すると、ＣＰＵ５１は、図３に示されるステップＳ２８０の処理（退避実行処理）へ移行する。ステップＳ２８０において、ＣＰＵ５１は、図６に示すサブルーチンを実行する。図６のサブルーチンは、ステップＳ６００〜Ｓ６５０の処理からなる。ステップＳ６００において、ＣＰＵ５１は、モータドライバ回路を介して回転搬送部２１の回転駆動モータ５４を回転駆動して、回転搬送部２１を主搬送ライン３２側に回転させる。具体的には、回転搬送部２１の遊技機移動用ローラコンベア４３の一端を主搬送ライン３２の終端に近接させる。しかし、図９の状態では、既に回転搬送部２１が主搬送ライン３２側に位置しているため、ＣＰＵ５１は、特に回転搬送部２１を回転させずに、ステップＳ６１０の処理へ移行する。
【００８１】
ステップＳ６１０において、ＣＰＵ５１は、主搬送ライン３２上のパチンコ機１０を回転搬送部２１上に移動させる。具体的には、主搬送ライン３２が有する回転駆動モータ４８を駆動させて各下側ローラ６１を回転させるとともに、回転搬送部２１が有する回転駆動モータ４９を駆動させて各下側ローラ２２を各下側ローラ６１と同方向に回転させ、主搬送ライン３２の遊技機搬送用ローラコンベア４４から回転搬送部２１にパチンコ機１０を移動させる（図１０参照）。それに伴い、パチンコ機１０（甲Ｂ）の直後にあるパチンコ機１０（乙Ｂ）が、主搬送ライン３２の終端部に搬送される。次に、ステップＳ６２０において、ＣＰＵ５１は、モータドライバ回路を介して回転駆動モータ５４を回転駆動して、回転搬送部２１を指定搬送ライン（退避搬送部３９ａ）側に回転（平面視時計回り方向に９０°回転）させる（図１１参照）。そして、ステップＳ６３０において、ＣＰＵ５１は、モータドライバ回路を介して回転搬送部２１が有する回転駆動モータ４９を駆動させて各下側ローラ２２を回転させ、回転搬送部２１の遊技機移動用ローラコンベア４３から退避搬送部３９ａ上にパチンコ機１０を退避させて、ステップＳ６４０の処理へ移行する。ステップＳ６４０において、ＣＰＵ５１は、ＲＡＭ５８に記憶されている指定搬送ライン（退避搬送部３９ａ）を消去して、ステップＳ６５０の処理へ移行する。さらに、ステップＳ６５０において、ＣＰＵ５１は、ＲＡＭ５８に記憶されている特定情報（出荷先情報及びスペック情報）を消去して、本サブルーチンを終了する。
【００８２】
ここで、図６に示されるサブルーチンが終了すると、ＣＰＵ５１は、図３に示される前記ステップＳ２８０の処理を終了し、ここでの処理（搬出処理）を終了する。
【００８３】
次に、主搬送ライン３２の終端部にあるパチンコ機１０（乙Ｂ）の搬送先を決定する。即ち、前記ステップＳ１００の処理において、ＣＰＵ５１は、パチンコ機１０（乙Ｂ，甲Ａ，乙Ｃ）の識別情報Ｉ１を取得して、ステップＳ１１０の処理へ移行する。ここで、識別情報Ｉ２は、前記ステップＳ５６０においてＲＡＭ５８に記憶されているため、ＣＰＵ５１は、ステップＳ１１０の判定を「ＹＥＳ」として、前記ステップＳ１２０の処理へ移行する。
【００８４】
そして、ＣＰＵ５１は、ステップＳ１２０においてＲＡＭ５８から識別情報Ｉ２を取得して、前記ステップＳ１６０の処理へ移行する。ここで、図１１の状態では、退避搬送部３９ａにパチンコ機１０があるため、第３識別装置５９ａが識別情報Ｉ３を取得することができる。このため、ＣＰＵ５１は、ステップＳ１６０の判定を「ＹＥＳ」として、ステップＳ１７０の処理へ移行する。
【００８５】
ステップＳ１７０において、ＣＰＵ５１は、取得した識別情報Ｉ３の内容と識別情報Ｉ２の内容とで、出荷先情報（識別情報の内容の少なくとも一部）が一致するものがあるか否かを判定する。即ち、ＣＰＵ５１は、『識別情報判定手段』及び『第１の順位情報判定手段』としての機能を有している。なお、図１１の状態では、識別情報Ｉ３はパチンコ機１０（甲Ｂ）のものであり、識別情報Ｉ２はパチンコ機１０（甲Ａ）のものである。よって、出荷先は同じ甲ホールとなり、取得した識別情報Ｉ３の内容と識別情報Ｉ２の内容とで、出荷先情報が一致するものがあると判定される（ステップＳ１７０：Ｙ）。このため、ＣＰＵ５１はステップＳ２００の処理へ移行する。
【００８６】
ステップＳ２００において、ＣＰＵ５１は、識別情報Ｉ２の内容と識別情報Ｉ３の内容とで、出荷先情報に加えてスペック情報が一致するものがあるか否かを判定する。即ち、ＣＰＵ５１は、『第２の順位情報判定手段』としての機能を有している。なお、図１１の状態では、識別情報Ｉ２はパチンコ機１０（甲Ａ）のものであり、識別情報Ｉ３はパチンコ機１０（甲Ｂ）のものである。よって、パチンコ機１０（甲Ａ）のスペックはＡタイプとなり、パチンコ機１０（甲Ｂ）のスペックはＢタイプとなるため、スペック情報が一致するものがないと判定される（ステップＳ２００：Ｎ）。この場合、ＣＰＵ５１は前記ステップＳ２１０の処理へ移行する。
【００８７】
なお、仮にスペック情報が一致するものがあれば（ステップＳ２００：Ｙ）、ＣＰＵ５１は、ステップＳ２２０の処理へ移行する。ステップＳ２２０において、ＣＰＵ５１は、識別情報Ｉ２の出荷先情報及びスペック情報を、特定情報としてＲＡＭ５８に記憶し、ステップＳ２４０の処理へ移行する。ステップＳ２４０において、ＣＰＵ５１は、特定情報と一致する識別情報を付されたパチンコ機１０のある退避搬送部を指定搬送ラインとして記憶する。これにより、退避搬送部３９ａ上または退避搬送部３９ｂ上にあるパチンコ機１０を搬出搬送ライン３７に搬送させることが決定される。即ち、ＣＰＵ５１は、『搬送態様決定手段』としての機能を有している。その後、ＣＰＵ５１は、前記ステップＳ２７０の処理へ移行する。
【００８８】
また、本実施形態では、退避搬送部３９ａ上及び退避搬送部３９ｂ上の少なくとも一方にパチンコ機１０があると判定されると（ステップＳ１６０：Ｙ）、識別情報Ｉ２の内容と識別情報Ｉ１の内容とが一致するか否かを判定するのではなく、識別情報Ｉ２の内容と識別情報Ｉ３の内容とが一致するか否かを判定している（ステップＳ１７０，Ｓ２００）。そして、識別情報Ｉ２の内容と識別情報Ｉ３の内容とが一致していれば、退避搬送部３９ａ（または退避搬送部３９ｂ）上にあるパチンコ機１０を搬出搬送ライン３７に搬送させることが決定されるようになっている（ステップＳ２４０）。このことから、ＣＰＵ５１は、主搬送ライン３２から搬出搬送ライン３７へのパチンコ機１０の搬送よりも退避搬送部３９ａ（または退避搬送部３９ｂ）から搬出搬送ライン３７へのパチンコ機１０の搬送を優先させる制御を行っている。
【００８９】
前記ステップＳ２１０において、ＣＰＵ５１は、識別情報Ｉ２の内容と識別情報Ｉ１の内容とで、前記出荷先情報に加えて前記スペック情報が一致するものがあるか否かを判定する。なお、図１１の状態では、識別情報Ｉ２はパチンコ機１０（甲Ａ）のものであり、識別情報Ｉ１はパチンコ機１０（乙Ｂ，甲Ａ，乙Ｃ）のものである。よって、出荷先が同じ甲ホールのものが存在するため、出荷先情報が一致するものがあると判定される。また、スペックが同じＡタイプのものが存在するため、スペック情報も一致するものがあると判定される（ステップＳ２１０：Ｙ）。このため、ＣＰＵ５１は、前記ステップＳ２５０にて識別情報Ｉ２の出荷先情報及びスペック情報の両方を特定情報としてＲＡＭ５８に記憶した後、前記ステップＳ２６０の処理へ移行し、図５に示すサブルーチンの前記ステップＳ３００の処理へ移行する。
【００９０】
そして、ＣＰＵ５１は、ステップＳ３００にてＲＡＭ５８から特定情報（出荷先情報及びスペック情報）を取得してステップＳ３２０の処理へ移行する。ここで、図１１の状態では、第１識別装置５２ａにて取得される識別情報Ｉ１はパチンコ機１０（乙Ｂ）のものであり、識別情報Ｉ１に含まれる出荷先情報は、出荷先が乙ホールとなることを示す情報である。一方、特定情報に含まれる出荷先情報は、出荷先が甲ホールとなることを示す情報である。このため、出荷先情報は一致しない。また、識別情報Ｉ１に含まれるスペック情報は、スペックがＢスペックであることを示す情報である。一方、特定情報に含まれるスペック情報は、スペックがＡスペックであることを示す情報である。このため、スペック情報も一致しない。従って、識別情報Ｉ１は特定情報と一致しないと判定される（ステップＳ３２０：Ｙ）。このため、ＣＰＵ５１は、前記ステップＳ３２５の処理へ移行する。
【００９１】
ステップＳ３２５において、ＣＰＵ５１は、第１識別装置５２ｂ〜５２ｆを介して取得したパチンコ機１０の識別情報Ｉ１の内容のうち、特定情報と一致するものがあるか否かを判定する。図１１の状態では、第１識別装置５２ｂによって識別されたパチンコ機１０（甲Ａ）の識別情報Ｉ１が特定情報に一致する。よって、取得した識別情報Ｉ１の内容のうち、特定情報と一致するものがあると判定されるため（ステップＳ３２５：Ｙ）、ＣＰＵ５１は、前記ステップＳ３５０の処理へ移行する。
【００９２】
そして、図１１の状態では、退避搬送部３９ａに空きがないため、ＣＰＵ５１は、ステップＳ３５０の判定を「ＮＯ」として、ステップＳ３６０の処理へ移行する。ステップＳ３６０において、ＣＰＵ５１は、前記第３識別装置５９ｂを介して取得した識別情報Ｉ３に基づいて、退避搬送部３９ｂに空きがあるか否かを判定する。換言すると、ＣＰＵ５１は、識別情報Ｉ３の有無に基づいて、パチンコ機１０が存在しない退避搬送部３９ｂの有無を確認する。なお、図１１の状態では、退避搬送部３９ｂに空きがあるため（ステップＳ３６０：Ｙ）、ＣＰＵ５１は、ステップＳ４００の処理へ移行する。そして、ステップＳ４００において、ＣＰＵ５１は、退避搬送部３９ｂを指定搬送ラインとしてＲＡＭ５８に記憶する。これにより、主搬送ライン３２上にあるパチンコ機１０（乙Ｂ）を退避搬送部３９ｂに退避させることが決定される。その後、ＣＰＵ５１は、前記ステップＳ２８０の処理へ移行し、図６に示すサブルーチンの前記ステップＳ６００の処理へ移行する。
【００９３】
なお、仮に退避搬送部３９ｂに空きがない、即ち、退避搬送部３９ａ，３９ｂが満杯である場合（ステップＳ３６０：Ｎ）、ＣＰＵ５１は、ステップＳ４１０の処理へ移行する。ステップＳ４１０において、ＣＰＵ５１は、搬送ライン装置３１を停止（前記回転駆動モータ４８及び前記回転駆動モータ４９の駆動を停止）して、ステップＳ４２０の処理へ移行する。そして、ステップＳ４２０においてブザーなどの報知手段を作動させて、作業者に搬送ライン装置３１の停止を報知する。
【００９４】
そして、ＣＰＵ５１は、前記ステップＳ６００にて回転搬送部２１を主搬送ライン３２側に回転させ、前記ステップＳ６１０にて主搬送ライン３２上のパチンコ機１０を回転搬送部２１上に移動させる（図１２参照）。それに伴い、パチンコ機１０（乙Ｂ）の直後のパチンコ機１０（甲Ａ）が、主搬送ライン３２の終端部に搬送される。次に、前記ステップＳ６２０において、ＣＰＵ５１は、回転搬送部２１を指定搬送ライン（退避搬送部３９ｂ）側に回転（平面視反時計回り方向に９０°回転）させて（図１３参照）、前記ステップＳ６３０の処理へ移行する。ステップＳ６３０において、ＣＰＵ５１は、回転搬送部２１の遊技機移動用ローラコンベア４３から退避搬送部３９ｂ上にパチンコ機１０を退避させて、前記ステップＳ６４０の処理へ移行する。次に、ＣＰＵ５１は、ステップＳ６４０にてＲＡＭ５８に記憶されている指定搬送ラインを消去し、前記ステップＳ６５０にてＲＡＭ５８に記憶されている特定情報（出荷先情報）を消去する。そして、ＣＰＵ５１は、図３に示される前記ステップＳ２８０の処理を終了し、ここでの処理（搬出処理）を終了する。
【００９５】
次に、主搬送ライン３２の終端部にあるパチンコ機１０（甲Ａ）の搬送先を決定する。即ち、前記ステップＳ１００の処理において、ＣＰＵ５１は、パチンコ機１０（甲Ａ，乙Ｃ）の識別情報Ｉ１を取得して、前記ステップＳ１１０の処理へ移行する。ここで、識別情報Ｉ２は、前記ステップＳ５６０においてＲＡＭ５８に記憶されているため、ＣＰＵ５１は、ステップＳ１１０の判定を「ＹＥＳ」として、前記ステップＳ１２０の処理へ移行する。
【００９６】
そして、ＣＰＵ５１は、ステップＳ１２０においてＲＡＭ５８から識別情報Ｉ２を取得して、前記ステップＳ１６０の処理へ移行する。ここで、図１３の状態では、退避搬送部３９ａ，３９ｂの両方にパチンコ機１０があるため、第３識別装置５９ａ，５９ｂの両方が識別情報Ｉ３を取得することができる。このため、ＣＰＵ５１は、前記ステップＳ１６０の判定を「ＹＥＳ」として、前記ステップＳ１７０の処理へ移行する。
【００９７】
ステップＳ１７０において、ＣＰＵ５１は、取得した識別情報Ｉ３の内容と識別情報Ｉ２の内容とで、出荷先情報が一致するものがあるか否かを判定する。なお、図１３の状態では、識別情報Ｉ３は、パチンコ機１０（甲Ｂ）またはパチンコ機１０（乙Ｂ）のものであり、識別情報Ｉ２はパチンコ機１０（甲Ａ）のものである。よって、パチンコ機１０（甲Ｂ）の出荷先とパチンコ機１０（甲Ａ）の出荷先とが同じ甲ホールとなり、識別情報Ｉ３の内容と識別情報Ｉ２の内容とで、出荷先情報が一致するものがあると判定される。このため、ＣＰＵ５１は、ステップＳ１７０の判定を「ＹＥＳ」として、前記ステップＳ２００の処理へ移行する。
【００９８】
さらに、ステップＳ２００において、ＣＰＵ５１は、識別情報Ｉ２の内容と識別情報Ｉ３の内容とで、スペック情報が一致するものがあるか否かを判定する。なお、図１３の状態では、識別情報Ｉ２はパチンコ機１０（甲Ａ）のものであり、識別情報Ｉ３はパチンコ機１０（甲Ｂ，乙Ｂ）のものである。よって、パチンコ機１０（甲Ａ）のスペックはＡタイプとなり、パチンコ機１０（甲Ｂ，乙Ｂ）のスペックはＢタイプとなるため、識別情報Ｉ２と識別情報Ｉ３とで、スペック情報が一致するものがないと判定される（ステップＳ２００：Ｎ）。このため、ＣＰＵ５１は、前記ステップＳ２１０の処理へ移行する。
【００９９】
ステップＳ２１０において、ＣＰＵ５１は、識別情報Ｉ２の内容と識別情報Ｉ１の内容とで、前記出荷先情報に加えてスペック情報が一致するものがあるか否かを判定する。なお、図１３の状態では、識別情報Ｉ２及び識別情報Ｉ１は、どちらもパチンコ機１０（甲Ａ）のものである。よって、出荷先は同じ甲ホールとなり、出荷先情報が一致するものがあると判定される。また、スペックは同じＡタイプとなり、スペック情報も一致するものがあると判定される（ステップＳ２１０：Ｙ）。このため、ＣＰＵ５１は、ステップＳ２５０において識別情報Ｉ２の出荷先情報及びスペック情報の両方を特定情報としてＲＡＭ５８に記憶する。その後、ＣＰＵ５１は、前記ステップＳ２６０の処理へ移行し、図５に示すサブルーチンの前記ステップＳ３００の処理へ移行する。
【０１００】
そして、ＣＰＵ５１は、ステップＳ３００にてＲＡＭ５８から特定情報（出荷先情報及びスペック情報）を取得して、ステップＳ３２０の処理へ移行する。ここで、図１３の状態では、第１識別装置５２ａにて取得した識別情報Ｉ１、及び、特定情報は、同じパチンコ機１０（甲Ａ）のものである。よって、出荷先情報及びスペック情報の両方が一致するため、識別情報Ｉ１は特定情報と一致すると判定される（ステップＳ３２０：Ｎ）。このため、ＣＰＵ５１は、ステップＳ３３０の処理へ移行する。そして、ＣＰＵ５１は、ステップＳ３３０にてＲＡＭ５８から識別情報Ｉ２を取得し、ステップＳ３３５にて主搬送ライン３２を指定搬送ラインとしてＲＡＭ５８に記憶する。これにより、主搬送ライン３２上にあるパチンコ機１０（甲Ａ）を搬出搬送ライン３７に搬送させることが決定される。その後、ＣＰＵ５１は、前記ステップＳ２７０の処理へ移行し、図４に示すサブルーチンの前記ステップＳ５００の処理へ移行する。
【０１０１】
次に、ＣＰＵ５１は、ステップＳ５００にて回転搬送部２１を指定搬送ライン（主搬送ライン３２）側に回転させ、前記ステップＳ５１０にて主搬送ライン３２上のパチンコ機１０を回転搬送部２１上に移動させる（図１４参照）。それに伴い、パチンコ機１０（甲Ａ）の直後にあるパチンコ機１０（乙Ｃ）が、主搬送ライン３２の終端部に搬送される。そして、ＣＰＵ５１は、前記ステップＳ５２０にてＲＡＭ５８に記憶されている指定搬送ラインを消去し、前記ステップＳ５２５にてＲＡＭ５８に記憶されている特定情報（出荷先情報及びスペック情報）を消去する。さらに、前記ステップＳ５３０において、ＣＰＵ５１は、モータドライバ回路を介して回転駆動モータ５４を回転駆動して、回転搬送部２１を搬出搬送ライン３７側に回転させる。しかし、図１４では、既に回転搬送部２１が搬出搬送ライン３７側に位置しているため、ＣＰＵ５１は、特に回転搬送部２１を回転させずに、前記ステップＳ５４０の処理へ移行する。ステップＳ５４０において、ＣＰＵ５１は、モータドライバ回路を介して回転搬送部２１が有する回転駆動モータ４９を駆動させて、各下側ローラ２２を回転させる。これにより、パチンコ機１０が回転搬送部２１の遊技機移動用ローラコンベア４３から搬出搬送ライン３７上に搬出される（図１５参照）。その結果、２台のパチンコ機１０（甲Ａ）が連続して搬出搬送ライン３７から搬出されるようになる。
【０１０２】
そして、ＣＰＵ５１は、前記ステップＳ５６０において、第２識別装置５６を介して識別情報Ｉ２を取得して、その識別情報Ｉ２をＲＡＭ５８に記憶させる。さらに、ＣＰＵ５１は、前記ステップＳ５７０にて搬出搬送ライン３７の搬送を開始させてパチンコ機１０（甲Ａ）を搬出した後、図３に示される前記ステップＳ２７０の処理を終了し、ここでの処理（搬出処理）を終了する。
【０１０３】
次に、主搬送ライン３２の終端部にあるパチンコ機１０（乙Ｃ）の搬送先を決定する。即ち、前記ステップＳ１００の処理において、ＣＰＵ５１は、パチンコ機１０（乙Ｃ）の識別情報Ｉ１を取得して、前記ステップＳ１１０の処理へ移行する。ここで、識別情報Ｉ２は、前記ステップＳ５６０においてＲＡＭ５８に記憶されているため、ＣＰＵ５１は、ステップＳ１１０の判定を「ＹＥＳ」として、前記ステップＳ１２０の処理へ移行する。
【０１０４】
そして、ＣＰＵ５１は、ステップＳ１２０においてＲＡＭ５８から識別情報Ｉ２を取得して、前記ステップＳ１６０の処理へ移行する。ここで、図１５の状態では、退避搬送部３９ａ，３９ｂの両方にパチンコ機１０があるため、第３識別装置５９ａ，５９ｂの両方が識別情報Ｉ３を取得することができる。このため、ＣＰＵ５１は、前記ステップＳ１６０の判定を「ＹＥＳ」として、前記ステップＳ１７０の処理へ移行する。
【０１０５】
ステップＳ１７０において、ＣＰＵ５１は、取得した識別情報Ｉ３の内容と識別情報Ｉ２の内容とで、出荷先情報が一致するものがあるか否かを判定する。なお、図１５の状態では、識別情報Ｉ３は、パチンコ機１０（甲Ｂ）またはパチンコ機１０（乙Ｂ）のものであり、識別情報Ｉ２はパチンコ機１０（甲Ａ）のものである。よって、パチンコ機１０（甲Ｂ）の出荷先とパチンコ機１０（甲Ａ）の出荷先とが同じ甲ホールとなり、識別情報Ｉ３の内容と識別情報Ｉ２の内容とで、出荷先情報が一致するものがあると判定される。このため、ＣＰＵ５１は、ステップＳ１７０の判定を「ＹＥＳ」として、前記ステップＳ２００の処理へ移行する。
【０１０６】
さらに、ステップＳ２００において、ＣＰＵ５１は、識別情報Ｉ２の内容と識別情報Ｉ３の内容とで、スペック情報が一致するものがあるか否かを判定する。なお、図１５の状態では、識別情報Ｉ２はパチンコ機１０（甲Ａ）のものであり、識別情報Ｉ３はパチンコ機１０（甲Ｂ，乙Ｂ）のものである。よって、パチンコ機１０（甲Ａ）のスペックはＡタイプとなり、パチンコ機１０（甲Ｂ，乙Ｂ）のスペックはＢタイプとなるため、識別情報Ｉ２と識別情報Ｉ３とで、スペック情報が一致するものがないと判定される（ステップＳ２００：Ｎ）。このため、ＣＰＵ５１は、前記ステップＳ２１０の処理へ移行する。
【０１０７】
ステップＳ２１０において、ＣＰＵ５１は、識別情報Ｉ２の内容と識別情報Ｉ１の内容とで、スペック情報が一致するものがあるか否かを判定する。なお、図１５の状態では、識別情報Ｉ２はパチンコ機１０（甲Ａ）のものであり、識別情報Ｉ１はパチンコ機１０（乙Ｃ）のものである。よって、パチンコ機１０（甲Ａ）のスペックはＡタイプ、パチンコ機１０（乙Ｃ）のスペックはＣタイプとなり、スペック情報が一致するものがないと判定される（ステップＳ２１０：Ｎ）。このため、ＣＰＵ５１は、ステップＳ２３０において識別情報Ｉ２の出荷先情報のみを特定情報としてＲＡＭ５８に記憶する。その後、ＣＰＵ５１は、前記ステップＳ２６０の処理へ移行し、図５に示すサブルーチンの前記ステップＳ３００の処理へ移行する。
【０１０８】
そして、ＣＰＵ５１は、ステップＳ３００にてＲＡＭ５８から特定情報（出荷先情報）を取得して、ステップＳ３２０の処理へ移行する。ここで、図１５の状態では、第１識別装置５２ａにて取得した識別情報Ｉ１はパチンコ機１０（乙Ｃ）のものであり、特定情報はパチンコ機１０（甲Ａ）のものである。よって、パチンコ機１０（乙Ｃ）の出荷先はＣホールとなり、パチンコ機１０（甲Ａ）の出荷先はＡホールとなるため、識別情報Ｉ１は特定情報と一致しないと判定される（ステップＳ３２０：Ｙ）。このため、ＣＰＵ５１は、ステップＳ３２５の処理へ移行する。
【０１０９】
ステップＳ３２５において、ＣＰＵ５１は、第１識別装置５２ｂ〜５２ｆを介して取得したパチンコ機１０の識別情報Ｉ１の内容のうち、特定情報と一致するものがあるか否かを判定する。図１５の状態では、第１識別装置５２ｂ〜５２ｆを介してパチンコ機１０の識別情報Ｉ１のうち、特定情報に一致するものはないため（ステップＳ３２５：Ｎ）、ＣＰＵ５１は、ステップＳ３２６の処理へ移行する。そして、ＣＰＵ５１は、ステップＳ３２６にてＲＡＭ５８から識別情報Ｉ２を取得して、ステップＳ３２７の処理へ移行する。
【０１１０】
ステップＳ３２７において、ＣＰＵ５１は、前記第３識別装置５９ａ，５９ｂを介して取得した識別情報Ｉ３に基づいて、退避搬送部３９ａ，３９ｂの少なくとも一方に空きがあるか否かを判定する。図１５の状態では、退避搬送部３９ａ，３９ｂのどちらにも空きがないため（ステップＳ３２７：Ｎ）、ＣＰＵ５１は、図３に示すステップＳ１４０の処理へ移行する。なお、仮に退避搬送部３９ａ，３９ｂの少なくとも一方に空きがあれば（ステップＳ３２７：Ｙ）、ＣＰＵ５１は、図３に示すステップＳ１５０の処理へ移行する。
【０１１１】
ステップＳ１４０において、ＣＰＵ５１は、パチンコ機１０がある退避搬送部３９ａ（または退避搬送部３９ｂ）を指定搬送ラインとしてＲＡＭ５８に記憶する。なお、本実施形態では、退避搬送部３９ａ，３９ｂの両方にパチンコ機１０がある場合（図１５参照）、ＣＰＵ５１は、退避搬送部３９ａを指定搬送ラインとしてＲＡＭ５８に記憶する。これにより、退避搬送部３９ａ上にあるパチンコ機１０を搬出搬送ライン３７に搬送させることが決定される。その後、ＣＰＵ５１は、前記ステップＳ２７０の処理へ移行し、図４に示すサブルーチンの前記ステップＳ５００の処理へ移行する。
【０１１２】
ステップＳ５００において、ＣＰＵ５１は、回転搬送部２１を指定搬送ライン（退避搬送部３９ａ）側に回転させる（図１６参照）。そして、ＣＰＵ５１は、ステップＳ５１０にて退避搬送部３９ａのパチンコ機１０を回転搬送部２１上に搬送し戻す。さらに、ＣＰＵ５１は、ステップＳ５２０にてＲＡＭ５８に記憶されている指定搬送ライン（退避搬送部３９ａ）を消去し、ステップＳ５２５にてＲＡＭ５８に記憶されている特定情報を消去する。しかし、特定情報は、前回のステップＳ５２５の処理にて既に消去されているため、ＣＰＵ５１は、特定情報の消去を行わずに、ステップＳ５３０の処理へ移行する。そして、ＣＰＵ５１は、ステップＳ５３０にて回転搬送部２１を搬出搬送ライン３７側に回転させ、ステップＳ５４０にて回転搬送部２１上のパチンコ機１０（甲Ｂ）を搬出搬送ライン３７上に搬出させる（図１７参照）。
【０１１３】
そして、ＣＰＵ５１は、ステップＳ５６０にて第２識別装置５６を介して識別情報Ｉ２を取得し、その識別情報をＲＡＭ５８に記憶させる。さらに、ＣＰＵ５１は、ステップＳ５７０において搬出搬送ライン３７の搬送を開始させてパチンコ機１０（甲Ｂ）を搬出し、本サブルーチンを終了する。その後、ＣＰＵ５１は、図３に示される前記ステップＳ２７０の処理を終了し、ここでの処理（搬出処理）を終了する。
【０１１４】
さらに、ＣＰＵ５１は、搬出処理を再び実行する。即ち、ＣＰＵ５１は、前記ステップＳ１００〜前記ステップＳ１２０の処理を実行し、前記ステップＳ１６０の処理へ移行する。ここで、図１７の状態では、退避搬送部３９ｂのみにパチンコ機１０があるため、第３識別装置５９ｂのみが識別情報Ｉ３を取得していると判定して（ステップＳ１６０：Ｙ）、前記ステップＳ１７０の処理へ移行する。
【０１１５】
ステップＳ１７０において、ＣＰＵ５１は、取得した識別情報Ｉ３の内容と識別情報Ｉ２の内容とで、出荷先情報が一致するか否かを判定する。なお、図１７の状態では、識別情報Ｉ３はパチンコ機１０（乙Ｂ）のものであり、識別情報Ｉ２はパチンコ機１０（甲Ｂ）のものである。よって、パチンコ機１０（乙Ｂ）の出荷先（乙ホール）とパチンコ機１０（甲Ｂ）の出荷先（甲ホール）とが異なり、識別情報Ｉ３と識別情報Ｉ２とで、出荷先情報が一致しないと判定される。このため、ＣＰＵ５１は、ステップＳ１７０の判定を「ＮＯ」として、ステップＳ１９０の処理へ移行する。
【０１１６】
さらに、ステップＳ１９０において、ＣＰＵ５１は、識別情報Ｉ２の内容と識別情報Ｉ１の内容とで、出荷先情報が一致するか否かを判定する。即ち、ＣＰＵ５１は、『第４の順位情報判定手段』としての機能を有している。なお、図１７の状態では、識別情報Ｉ２はパチンコ機１０（甲Ｂ）のものであり、識別情報Ｉ１はパチンコ機１０（乙Ｃ）のものである。よって、パチンコ機１０（甲Ｂ）の出荷先（甲ホール）とパチンコ機１０（乙Ｃ）の出荷先（乙ホール）とが異なるため、識別情報Ｉ２と識別情報Ｉ１とで、出荷先情報は一致しないと判定される（ステップＳ１９０：Ｎ）。このため、ＣＰＵ５１は、ステップＳ１４０の処理へ移行する。なお、仮に出荷先情報が一致すると判定されれば、ＣＰＵ５１は、ステップＳ１４０の処理へ移行する。
【０１１７】
ステップＳ１４０において、ＣＰＵ５１は、パチンコ機１０がある退避搬送部３９ｂを指定搬送ラインとしてＲＡＭ５８に記憶する。これにより、退避搬送部３９ｂ上にあるパチンコ機１０を搬出搬送ライン３７に搬送させることが決定される。その後、ＣＰＵ５１は、前記ステップＳ２７０の処理へ移行し、図４に示すサブルーチンの前記ステップＳ５００の処理へ移行する。
【０１１８】
ステップＳ５００において、ＣＰＵ５１は、回転搬送部２１を指定搬送ライン（退避搬送部３９ｂ）側に回転させる（図１８参照）。そして、ＣＰＵ５１は、前記ステップＳ５１０にて退避搬送部３９ｂのパチンコ機１０を回転搬送部２１上に搬送し戻す。さらに、ＣＰＵ５１は、前記ステップＳ５２０〜前記ステップＳ５４０の処理を行い、回転搬送部２１上のパチンコ機１０（乙Ｂ）を搬出搬送ライン３７上に搬出させる（図１９参照）。
【０１１９】
そして、ＣＰＵ５１は、ステップＳ５６０にて第２識別装置５６を介して識別情報Ｉ２を取得し、その識別情報Ｉ２をＲＡＭ５８に記憶させる。さらに、ＣＰＵ５１は、ステップＳ５７０において搬出搬送ライン３７の搬送を開始させてパチンコ機１０（乙Ｂ）を搬出し、本サブルーチンを終了する。その後、ＣＰＵ５１は、図３に示される前記ステップＳ２７０の処理を終了し、ここでの処理（搬出処理）を終了する。
【０１２０】
さらに、ＣＰＵ５１は、搬出処理をもう１度実行する。即ち、ＣＰＵ５１は、前記ステップＳ１００〜前記ステップＳ１２０の処理を実行し、前記ステップＳ１６０の処理へ移行する。ここで、図１９の状態では、退避搬送部３９ａ，３９ｂのどちらにもパチンコ機１０がないため、第３識別装置５９ａ，５９ｂのどちらも識別情報Ｉ３を取得していないと判定して（ステップＳ１６０：Ｎ）、前記ステップＳ１８０の処理へ移行する。
【０１２１】
ステップＳ１８０において、ＣＰＵ５１は、識別情報Ｉ２の内容と前記識別情報Ｉ１の内容とで、出荷先情報が一致するものがあるか否かを判定する。なお、図１９の状態では、識別情報Ｉ２はパチンコ機１０（乙Ｂ）のものであり、識別情報Ｉ１はパチンコ機１０（乙Ｃ）のものである。よって、出荷先は同じ乙ホールとなり、出荷先情報が一致するものがあると判定される（ステップＳ１８０：Ｙ）。このため、ＣＰＵ５１は、ステップＳ２１０の処理へ移行する。
【０１２２】
ステップＳ２１０において、ＣＰＵ５１は、識別情報Ｉ２の内容と識別情報Ｉ１の内容とで、出荷先情報に加えて前記スペック情報が一致するものがあるか否かを判定する。なお、図１９の状態では、識別情報Ｉ２はパチンコ機１０（乙Ｂ）のものであり、識別情報Ｉ１はパチンコ機１０（乙Ｃ）のものである。よって、パチンコ機１０（乙Ｂ）のスペックはＢタイプ、パチンコ機１０（乙Ｃ）のスペックはＣタイプとなり、スペック情報が一致するものがないと判定される（ステップＳ２１０：Ｎ）。このため、ＣＰＵ５１は、ステップＳ２３０の処理へ移行する。そして、ステップＳ２３０において、ＣＰＵ５１は、識別情報の出荷先情報のみを特定情報としてＲＡＭ５８に記憶する。その後、ＣＰＵ５１は、前記ステップＳ２６０の処理へ移行し、図５に示すサブルーチンの前記ステップＳ３００の処理へ移行する。
【０１２３】
ステップＳ３００において、ＣＰＵ５１は、ＲＡＭ５８から特定情報（出荷先情報）を取得する。そして、前記ステップＳ３２０において、ＣＰＵ５１は、第１識別装置５２ａにて取得した識別情報Ｉ１が特定情報と一致しないか否かを判定する。なお、図１９の状態では、識別情報Ｉ１はパチンコ機１０（乙Ｃ）のものであり、特定情報に含まれる出荷先情報は、出荷先が乙ホールとなることを示す情報であるため、出荷先は同じ乙ホールとなる。従って、識別情報Ｉ１は特定情報と一致すると判定される（ステップＳ３２０：Ｎ）。このため、ＣＰＵ５１は、ステップＳ３３０の処理へ移行する。
【０１２４】
そして、ＣＰＵ５１は、ステップＳ３３０にてＲＡＭ５８から識別情報Ｉ２を取得し、ステップＳ３３５にて主搬送ライン３２を指定搬送ラインとしてＲＡＭ５８に記憶する。これにより、主搬送ライン３２上にあるパチンコ機１０（乙Ｃ）を搬出搬送ライン３７に搬送させることが決定される。その後、ＣＰＵ５１は、前記ステップＳ２７０の処理へ移行し、図４に示すサブルーチンの前記ステップＳ５００の処理へ移行する。
【０１２５】
ステップＳ５００において、ＣＰＵ５１は、回転搬送部２１を指定搬送ライン（主搬送ライン３２）側に回転させる。しかし、図１９では、既に回転搬送部２１が主搬送ライン３２側に位置しているため、ＣＰＵ５１は、特に回転搬送部２１を回転させずに、前記ステップＳ５１０の処理へ移行する。そして、ＣＰＵ５１は、ステップＳ５１０にて主搬送ライン３２上のパチンコ機１０を回転搬送部２１上に移動させる（図２０参照）。さらに、ＣＰＵ５１は、前記ステップＳ５２０〜前記ステップＳ５４０の処理を行い、回転搬送部２１上のパチンコ機１０（乙Ｃ）を搬出搬送ライン３７上に搬出させる（図２１参照）。
【０１２６】
そして、ＣＰＵ５１は、前記ステップＳ５６０にて第２識別装置５６を介して識別情報Ｉ２を取得し、その識別情報Ｉ２をＲＡＭ５８に記憶させる。さらに、ＣＰＵ５１は、前記ステップＳ５７０において搬出搬送ライン３７の搬送を開始させてパチンコ機（乙Ｃ）を搬出し、本サブルーチンを終了する。その後、ＣＰＵ５１は、図３に示される前記ステップＳ２７０の処理を終了し、ここでの処理（搬出処理）を終了する。これにより、搬送ライン装置３１によるパチンコ機１０の仕分けが終了する。
【０１２７】
従って、本実施形態によれば以下のような効果を得ることができる。
【０１２８】
（１）本実施形態の搬送ライン装置３１によれば、主搬送ライン３２により搬送されてきたパチンコ機１０群に異種のパチンコ機１０が混入していたとしても、異種のパチンコ機１０を回転搬送部２１を介して一時的に退避搬送部３９ａ，３９ｂに退避させることができる。そして、退避させたパチンコ機１０と同種のパチンコ機１０を主搬送ライン３２で搬送する際に、退避させたパチンコ機１０を再び回転搬送部２１側に搬送し戻すことにより、搬送し戻したパチンコ機１０を主搬送ライン３２からのパチンコ機１０とともに搬出搬送ライン３７から搬出させることができる。これにより、パチンコ機１０を種類ごとに仕分けして搬出することができる。なお、パチンコ機１０の仕分作業は、ＣＰＵ５１で回転搬送部２１の選択搬送動作を制御することにより行われるため、手作業による従来の仕分作業よりも効率的に仕分作業を行うことができ、仕分作業に伴う仕分けミスの発生も抑制できる。
【０１２９】
（２）本実施形態では、ＲＡＭ５８に記憶されている識別情報（識別情報Ｉ２）の内容、及び、第１識別装置５２ａ〜５２ｆにて識別された識別情報（識別情報Ｉ１）の内容に基づいて、主搬送ライン３２上にあるパチンコ機１０の搬出搬送ライン３７への搬出を決定することができる（ステップＳ１５０，Ｓ３３５）。また、ＲＡＭ５８に記憶されている識別情報Ｉ２の内容、及び、識別情報Ｉ１に基づいて、主搬送ライン３２上にあるパチンコ機１０の退避搬送部３９ａ，３９ｂへの退避も決定することができる（ステップＳ３９０，Ｓ４００）。よって、他のパチンコ機１０が搬出搬送ライン３７上になくても、ＲＡＭ５８に識別情報Ｉ２が記憶されていれば、主搬送ライン３２上にあるパチンコ機１０を、搬出搬送ライン３７へ搬出したり、退避搬送部３９ａ，３９ｂへ退避させたりすることができる。
【０１３０】
（３）本実施形態では、搬送ライン３２に複数の第１識別装置５２ａ〜５２ｆが設けられており、各第１識別装置５２ａ〜５２ｆを介して取得した識別情報Ｉ１に基づいて、パチンコ機１０の搬送先を決定している。よって、例えば主搬送ライン３２上に複数のパチンコ機１０があって、主搬送ライン３２の終端部にあるパチンコ機１０の識別情報Ｉ１の内容が識別情報Ｉ２（特定情報）の内容と一致しない場合、主搬送ライン３２の終端部以外の箇所にあるパチンコ機１０の識別情報Ｉ１の内容が特定情報の内容と一致すれば（図５のステップＳ３２５参照）、主搬送ライン３２の終端部にあるパチンコ機１０をあらかじめ退避させることができる（図９〜図１３参照）。これにより、識別情報Ｉ１の内容が特定情報の内容と一致するパチンコ機１０を優先的に搬出搬送ライン３７に移動させることができるため、パチンコ機１０を種類ごとにまとめる作業を効率的に行うことができる。
【０１３１】
（４）本実施形態では、主搬送ライン３２と搬出搬送ライン３７とが一直線上に配置されている。このため、既に回転搬送部２１の遊技機移動用ローラコンベア４３の一端が主搬送ライン３２の終端に近接し、遊技機移動用ローラコンベア４３の他端が搬出搬送ライン３７の始端に近接した状態であれば（図７など参照）、主搬送ライン３２上にあるパチンコ機１０を搬出搬送ライン３７へ搬出する際に、特に回転搬送部２１を回転させなくても済む。よって、回転搬送部２１の回転頻度を減らすことができるため、ＣＰＵ５１による回転搬送部２１の回転制御が容易になる。
【０１３２】
（５）本実施形態において、パチンコ機１０に付与される識別情報は、重要度に応じてランク付けされた出荷先情報及びスペック情報を含んでいる。このため、例えば甲ホールに、Ａスペックのパチンコ機１０とＢスペックのパチンコ機１０とを出荷する場合（図７など参照）、Ａスペックのパチンコ機１０を２台、Ｂスペックのパチンコ機１０を１台というように整列させることができる。よって、甲ホールにてパチンコ機１０を設置する際に、異なるスペックのパチンコ機１０が混同する（例えば、Ａスペックのパチンコ機１０を設置すべき場所にＢスペックのパチンコ機１０を設置してしまう）ことを防止できる。
【０１３３】
（６）本実施形態では、主搬送ライン３２上に存在するパチンコ機１０が遊技島への設置状態と略同じ直立状態で搬送されるため、パチンコ機１０を搬送する過程で、そのままパチンコ機１０に対する機能検査などを行うことができる。さらに、回転搬送部２１上に存在するパチンコ機１０も、上部支持レール３６及び遊技機移動用ローラコンベア４３により上下２箇所において支持されて直立状態となる。このことから、パチンコ機１０を回転させて、パチンコ機１０の表面側（遊技盤面側）及び裏面側（制御基板などが露出する側）に対する機能検査などを行うことができる。しかも、機能検査が行われる場合、パチンコ機１０の姿勢が遊技島への設置状態と略同じ姿勢となるため、機能検査が行いやすくなる。
【０１３４】
また、搬送ライン装置３１は、パチンコ機１０の直立状態を保ったまま遊技機搬送用ローラコンベア４４と遊技機移動用ローラコンベア４３との間の受け渡しができるため、受け渡しの際にパチンコ機１０の姿勢を変える姿勢変更機構が不要になる。しかも、回転搬送部２１が回転するときであっても、パチンコ機１０が上部支持レール３６及び遊技機移動用ローラコンベア４３によって支持されるため、パチンコ機１０が倒れやすい直立状態であるにもかかわらず、パチンコ機１０の移動及び回転をより安定的に行うことができる。さらに、パチンコ機１０が安定的に支持されるため、パチンコ機１０の移動及び回転を素早く行うこともできる。
【０１３５】
また、回転搬送部２１上に存在するパチンコ機１０は、上部支持レール３６及び遊技機移動用ローラコンベア４３によって直立状態で支持される。よって、パチンコ機１０が例えば寝た状態で支持される場合に比べて、パチンコ機１０の遊技機移動用ローラコンベア４３に対する接地面積が小さくなるとともに、前記姿勢変更機構の設置スペースが不要になるため、省スペース化を図ることができる。
【０１３６】
なお、本発明の実施形態は以下のように変更してもよい。
【０１３７】
・上記実施形態では、搬送ライン装置３１は、一対の退避搬送部３９ａ，３９ｂを備えていたが、退避搬送部を１つだけ備えていてもよいし、３つ以上備えていてもよい。退避搬送部の数を少なくすれば、搬送ライン装置３１を低コストで構成することができる。一方、退避搬送部の数を多くすれば、多数のパチンコ機１０を退避させることができるため、退避搬送部が満杯になりにくくなる。ゆえに、退避搬送部が満杯のために新たにパチンコ機１０を退避できない可能性がより低くなる。
【０１３８】
・上記実施形態では、主搬送ライン３２に６個の第１識別装置５２ａ〜５２ｆが設けられていた。しかし、第１識別装置が最低２個あるならば（ステップＳ３２５の処理を実行するために最低限必要な数）、第１識別装置の数を増減させてもよい。なお、上記実施形態においてステップＳ３２５を実行させない場合には、第１識別装置は、主搬送ライン３２の終端部に最低限１個あればよい。
【０１３９】
・上記実施形態では、第２識別装置５６は搬出搬送ライン３７の始端部に設けられていた。しかし、第２識別装置５６を回転搬送部２１に設け、回転搬送部２１から搬出搬送ライン３７に搬出されるパチンコ機１０の識別情報を第２識別装置５６によって識別するようにしてもよい。
【０１４０】
・上記実施形態の図８，図１４の状態では、既に回転搬送部２１が搬出搬送ライン３７側に位置しているため、ＣＰＵ５１は、ステップＳ５３０にて特に回転搬送部２１を回転させずに、ステップＳ５４０にて回転搬送部２１上のパチンコ機１０を搬出搬送ライン３７上に搬出していた。しかし、ＣＰＵ５１は、回転搬送部２１を搬出搬送ライン３７側に回転（１８０°回転）させてから、回転搬送部２１上のパチンコ機１０を搬出搬送ライン３７上に搬出させるようにしてもよい。なお、パチンコ機１０を搬出搬送ライン３７上に搬出させる際に、ＣＰＵ５１は、回転搬送部２１へのパチンコ機１０の搬入時とは逆方向に各下側ローラ２２を回転させる。
【０１４１】
このようにすれば、回転搬送部２１上のパチンコ機１０の向きが他のパチンコ機１０とは逆向き（例えば、図２において、他のパチンコ機１０が正面（操作ハンドルなどがある側）を手前側に向けた状態で搬送されるにもかかわらず、パチンコ機１０が背面（制御基板などが露出する側）を手前側に向けた状態で搬送される場合）である場合、回転搬送部２１を１８０°回転させることで、パチンコ機１０の向きを修正することができる。
【０１４２】
・上記実施形態では、回転搬送部２１の遊技機移動用ローラコンベア４３は、コンベア支持部４３ａを中心として平面視時計回り方向及び平面視反時計回り方向に何回転でも回転可能になっていた。しかし、回転搬送部２１の遊技機移動用ローラコンベア４３は、コンベア支持部４３ａを中心として平面視時計回り方向及び平面視反時計回り方向に９０°だけ回転可能なものであってもよい。
【０１４３】
・上記実施形態の搬送ライン装置３１は、パチンコ機１０を被搬送物として搬送するようになっていた。しかし、搬送ライン装置３１は、遊技盤を被搬送物として搬送するものであってもよい。
【０１４４】
次に、特許請求の範囲に記載された技術的思想のほかに、前述した実施形態によって把握される技術的思想を以下に列挙する。
【０１４５】
（１）請求項２または３において、前記退避搬送部上にある被搬送物を前記搬出搬送ラインに搬送させることが前記搬送態様決定手段によって決定された場合、前記搬送制御手段は、前記退避搬送部を駆動させて前記退避搬送部上にある被搬送物を前記選択搬送手段側に搬送し戻すとともに、前記選択搬送手段を駆動させて前記選択搬送手段側に搬送し戻した被搬送物を前記搬出搬送ラインに搬出させ、前記搬出搬送ラインに搬出された被搬送物の識別情報の内容を前記第２識別手段にて識別させ、その識別情報を前記記憶手段に記憶させること。
【０１４６】
（２）請求項２または３において、前記識別情報判定手段は、前記記憶手段に記憶されている識別情報の内容、及び、前記第１識別手段にて識別された識別情報の内容の少なくとも一部が一致するか否かを判定し、前記搬送態様決定手段は、前記識別情報判定手段による判定結果に基づいて、前記主搬送ライン上にある被搬送物を、前記搬出搬送ラインに搬出させるか前記退避搬送部に退避させるかを決定すること。
【０１４７】
（３）技術的思想（２）において、前記主搬送ライン上にある被搬送物を前記搬出搬送ラインに搬出させることが前記搬送態様決定手段によって決定された場合、前記搬送制御手段は、前記選択搬送手段を駆動させて前記主搬送ライン上にある被搬送物を前記搬出搬送ラインに搬出させるとともに、前記搬出搬送ラインに搬出された被搬送物の識別情報の内容を前記第２識別手段にて識別させ、その識別情報を前記記憶手段に記憶させること。
【０１４８】
（４）技術的思想（２）または（３）において、前記主搬送ライン上にある被搬送物を前記退避搬送部に退避させることが前記搬送態様決定手段によって決定された場合、前記搬送制御手段は、前記選択搬送手段を駆動させて前記主搬送ライン上にある被搬送物を前記退避搬送部に退避させるとともに、前記退避搬送部に退避させた被搬送物の識別情報の内容を前記第３識別手段にて識別させること。
【０１４９】
（５）請求項１乃至３のいずれか１項において、前記退避搬送部を複数備えること。
【０１５０】
（６）請求項１乃至３のいずれか１項において、前記選択搬送手段は、前記主搬送ラインの搬送面、前記搬出搬送ラインの搬送面及び前記退避搬送部の搬送面と同じ高さに位置する搬送面を有し、鉛直方向に延びる回転軸を中心として回転可能な構造の回転搬送部であること。
【０１５１】
（７）請求項１乃至３のいずれか１項において、前記主搬送ラインと前記搬出搬送ラインとが一直線上に配置されること。
【０１５２】
（８）請求項２または３において、前記被搬送物に付与される識別情報は、重要度に応じてランク付けされた複数種類の情報を含んでいること。
【０１５３】
（９）請求項２または３において、前記第１識別手段は、前記主搬送ラインにおいて所定間隔を隔てて複数設けられていること。
【０１５４】
（１０）技術的思想（２）乃至（４）のいずれか１項において、前記選択搬送手段が、鉛直方向に延びる回転軸を中心として回転可能な回転搬送部であり、前記被搬送物が存在しない前記退避搬送部が複数ある場合、前記主搬送ライン上にある被搬送物を前記退避搬送部に退避させることが前記搬送態様決定手段によって決定されたときに、前記搬送制御手段は、前記回転搬送部を駆動させて、前記被搬送物が存在しない複数の前記退避搬送部のうち、前記主搬送ライン側から前記退避搬送部側までの前記回転搬送部の回転角度が最小となる退避搬送部に、前記主搬送ライン上にある被搬送物を退避させること。
【０１５５】
（１１）技術的思想（６）において、前記退避搬送部を単数または複数備える場合、前記主搬送ライン、前記搬出搬送ライン及び前記退避搬送部は、前記回転搬送部の回転軸を中心として互いに等角度間隔に配置されること。
【０１５６】
（１２）技術的思想（６）において、前記回転搬送部に、前記被搬送物を搬送させる搬送手段が前記回転搬送部の径方向に沿って直線状に形成され、前記回転搬送部を前記主搬送ライン側に回転させた際に、前記搬送手段の先端と前記主搬送ラインの先端とが近接し、前記回転搬送部を前記搬出搬送ライン側に回転させた際に、前記搬送手段の先端と前記搬出搬送ラインの先端とが近接し、前記回転搬送部を前記退避搬送部側に回転させた際に、前記搬送手段の先端と前記退避搬送部の先端とが近接すること。
【０１５７】
（１３）請求項２または３において、前記被搬送物の識別情報は、重要度が最も高い第１順位情報と、前記第１順位情報よりも重要度が低い第２順位情報とを含んでおり、前記第２識別手段にて識別された前記被搬送物の識別情報が前記記憶手段に記憶されているか否かを判定する識別情報記憶判定手段と、前記識別情報が前記記憶手段に記憶されていることが前記識別情報記憶判定手段により判定された場合、前記記憶手段から前記識別情報を取得する識別情報取得手段と、前記第３識別手段にて前記被搬送物の識別情報の内容が識別されたか否かを判定する識別判定手段と、前記第３識別手段にて前記被搬送物の識別情報の内容が識別されたことが前記識別判定手段により判定された場合に、前記第２識別手段にて識別された識別情報の内容と前記第３識別手段にて識別された識別情報の内容とで、前記第１順位情報が一致するものがあるか否かを判定する第１の順位情報判定手段と、前記第２識別手段にて識別された識別情報の内容と前記第３識別手段にて識別された識別情報の内容とで、前記第１順位情報が一致するものがあると前記第１の順位情報判定手段によって判定された場合に、前記第２識別手段にて識別された識別情報の内容と前記第３識別手段にて識別された識別情報の内容とで、前記第２順位情報が一致するものがあるか否かを判定する第２の順位情報判定手段と、前記第２識別手段にて識別された識別情報の内容と前記第３識別手段にて識別された識別情報の内容とで、前記第２順位情報が一致するものがあると前記第２の順位情報判定手段によって判定された場合に、前記第１順位情報及び前記第２順位情報を特定情報として記憶するとともに、前記特定情報と一致する識別情報が付与された被搬送物がある退避搬送部を前記指定搬送ラインとして記憶する前記記憶手段と、前記記憶手段に記憶されている前記指定搬送ラインに基づいて、前記退避搬送部上にある被搬送物を前記搬出搬送ラインに搬出することを決定する前記搬送態様決定手段とを備えること。
【０１５８】
（１４）技術的思想（１３）において、前記第３識別手段にて前記被搬送物の識別情報の内容が識別されたことが前記識別判定手段により判定されなかった場合に、前記第１識別手段にて識別された識別情報の内容と前記第２識別手段にて識別された識別情報の内容とで、前記第１順位情報が一致するものがあるか否かを判定する第３の順位情報判定手段と、前記第１識別手段にて識別された識別情報の内容と前記第２識別手段にて識別された識別情報の内容とで、前記第１順位情報が一致するものがないと前記第３の順位情報判定手段によって判定された場合に、前記主搬送ラインを前記指定搬送ラインとして記憶する前記記憶手段と、前記記憶手段に記憶されている前記指定搬送ラインに基づいて、前記主搬送ライン上にある被搬送物を前記搬出搬送ラインに搬出することを決定する前記搬送態様決定手段とを備えること。
【０１５９】
（１５）技術的思想（１３）において、前記第２識別手段にて識別された識別情報の内容と前記第３識別手段にて識別された識別情報の内容とで、前記第１順位情報が一致するものがないと前記第１の順位情報判定手段によって判定された場合に、前記第１識別手段にて識別された識別情報の内容と前記第２識別手段にて識別された識別情報の内容とで、前記第１順位情報が一致するものがあるか否かを判定する第４の順位情報判定手段と、前記第１識別手段にて識別された識別情報の内容と前記第２識別手段にて識別された識別情報の内容とで、前記第１順位情報が一致するものがないと前記第４の順位情報判定手段によって判定された場合に、前記退避搬送部を前記指定搬送ラインとして記憶する前記記憶手段と、前記記憶手段に記憶されている前記指定搬送ラインに基づいて、前記退避搬送部上にある被搬送物を前記搬出搬送ラインに搬出することを決定する前記搬送態様決定手段とを備えること。
【０１６０】
（１６）技術的思想（１３）において、前記第３識別手段にて前記被搬送物の識別情報の内容が識別されたことが前記識別判定手段により判定されなかった場合に、前記第１識別手段にて識別された識別情報の内容と前記第２識別手段にて識別された識別情報の内容とで、前記第１順位情報が一致するものがあるか否かを判定する第３の順位情報判定手段と、前記第１識別手段にて識別された識別情報の内容と前記第２識別手段にて識別された識別情報の内容とで、前記第１順位情報が一致するものがあると前記第３の順位情報判定手段によって判定された場合に、前記第１識別手段にて識別された識別情報の内容と前記第２識別手段にて識別された識別情報の内容とで、前記第２順位情報が一致するものがあるか否かを判定する第５の順位情報判定手段と、前記第１識別手段にて識別された識別情報の内容と前記第２識別手段にて識別された識別情報の内容とで、前記第２順位情報が一致するものがあると前記第５の順位情報判定手段によって判定された場合に、前記第１順位情報及び前記第２順位情報を前記特定情報として記憶するとともに、前記第１識別手段にて識別された識別情報の内容と前記第２識別手段にて識別された識別情報の内容とで、前記第２順位情報が一致するものがないと前記第５の順位情報判定手段によって判定された場合に、前記第１順位情報を前記特定情報として記憶する前記記憶手段と、前記記憶手段に記憶されている前記特定情報に基づいて、前記主搬送ライン上にある被搬送物の前記退避搬送部への退避を決定する前記搬送態様決定手段とを備えること。
【０１６１】
（１７）技術的思想（１３）において、前記第２識別手段にて識別された識別情報の内容と前記第３識別手段にて識別された識別情報の内容とで、前記第１順位情報が一致するものがないと前記第１の順位情報判定手段によって判定された場合に、前記第１識別手段にて識別された識別情報の内容と前記第２識別手段にて識別された識別情報の内容とで、前記第１順位情報が一致するものがあるか否かを判定する第４の順位情報判定手段と、前記第１識別手段にて識別された識別情報の内容と前記第２識別手段にて識別された識別情報の内容とで、前記第１順位情報が一致するものがあると前記第４の順位情報判定手段によって判定された場合に、前記第１識別手段にて識別された識別情報の内容と前記第２識別手段にて識別された識別情報の内容とで、前記第２順位情報が一致するものがあるか否かを判定する第５の順位情報判定手段と、前記第１識別手段にて識別された識別情報の内容と前記第２識別手段にて識別された識別情報の内容とで、前記第２順位情報が一致するものがあると前記第５の順位情報判定手段によって判定された場合に、前記第１順位情報及び前記第２順位情報を前記特定情報として記憶するとともに、前記第１識別手段にて識別された識別情報の内容と前記第２識別手段にて識別された識別情報の内容とで、前記第２順位情報が一致するものがないと前記第５の順位情報判定手段によって判定された場合に、前記第１順位情報を前記特定情報として記憶する前記記憶手段と、前記記憶手段に記憶されている前記特定情報に基づいて、前記主搬送ライン上にある被搬送物の前記退避搬送部への退避を決定する前記搬送態様決定手段とを備えること。
【０１６２】
（１８）技術的思想（１３）において、前記第２識別手段にて識別された識別情報の内容と前記第３識別手段にて識別された識別情報の内容とで、前記第２順位情報が一致するものがないと前記第２の順位情報判定手段によって判定された場合に、前記第１識別手段にて識別された識別情報の内容と前記第２識別手段にて識別された識別情報の内容とで、前記第２順位情報が一致するものがあるか否かを判定する第５の順位情報判定手段と、前記第１識別手段にて識別された識別情報の内容と前記第２識別手段にて識別された識別情報の内容とで、前記第２順位情報が一致するものがあると前記第５の順位情報判定手段によって判定された場合に、前記第１順位情報及び前記第２順位情報を前記特定情報として記憶するとともに、前記第１識別手段にて識別された識別情報の内容と前記第２識別手段にて識別された識別情報の内容とで、前記第２順位情報が一致するものがないと前記第５の順位情報判定手段によって判定された場合に、前記第１順位情報を前記特定情報として記憶する前記記憶手段と、前記記憶手段に記憶されている前記特定情報に基づいて、前記主搬送ライン上にある被搬送物の前記退避搬送部への退避を決定する前記搬送態様決定手段とを備えること。
【０１６３】
（１９）技術的思想（１６）乃至（１８）のいずれか１つにおいて、前記退避搬送部が複数設けられるとともに、前記第１識別手段が複数設けられており、前記記憶手段から前記特定情報を取得する特定情報取得手段と、前記第１識別手段にて識別された前記主搬送ラインの終端部にある被搬送物の識別情報の内容が前記特定情報に一致しないか否かを判定する識別情報内容判定手段と、前記第１識別手段にて識別された前記主搬送ラインの終端部にある被搬送物の識別情報の内容と前記特定情報とが一致しない場合に、前記第１識別手段にて識別された前記主搬送ラインの終端部以外の箇所にある被搬送物のうち、識別情報の内容が前記特定情報に一致するものがあるか否かを判定する識別可否判定手段と、前記第１識別手段にて識別された前記主搬送ラインの終端部以外の箇所にある被搬送物のうち、識別情報の内容が前記特定情報に一致するものがある場合に、前記第３識別手段にて識別された識別情報の内容の有無に基づいて、前記被搬送物が存在しない前記退避搬送部の有無を確認する退避搬送部確認手段と、前記被搬送物が存在しない前記退避搬送部がある場合に、その退避搬送部を指定搬送ラインとして記憶する前記記憶手段とを備えること。
【図面の簡単な説明】
【０１６４】
【図１】本実施形態の搬送ライン装置を示す平面図。
【図２】図１のＡ−Ａ線から見たときの搬送ライン装置を示す側面図。
【図３】搬送ライン装置のＣＰＵにて行われる搬出処理を示すフローチャート。
【図４】搬送ライン装置のＣＰＵにて行われる搬出実行処理を示すフローチャート。
【図５】搬送ライン装置のＣＰＵにて行われる退避決定処理を示すフローチャート。
【図６】搬送ライン装置のＣＰＵにて行われる退避実行処理を示すフローチャート。
【図７】搬送ライン装置によるパチンコ機の仕分方法を示す概略図。
【図８】搬送ライン装置によるパチンコ機の仕分方法を示す概略図。
【図９】搬送ライン装置によるパチンコ機の仕分方法を示す概略図。
【図１０】搬送ライン装置によるパチンコ機の仕分方法を示す概略図。
【図１１】搬送ライン装置によるパチンコ機の仕分方法を示す概略図。
【図１２】搬送ライン装置によるパチンコ機の仕分方法を示す概略図。
【図１３】搬送ライン装置によるパチンコ機の仕分方法を示す概略図。
【図１４】搬送ライン装置によるパチンコ機の仕分方法を示す概略図。
【図１５】搬送ライン装置によるパチンコ機の仕分方法を示す概略図。
【図１６】搬送ライン装置によるパチンコ機の仕分方法を示す概略図。
【図１７】搬送ライン装置によるパチンコ機の仕分方法を示す概略図。
【図１８】搬送ライン装置によるパチンコ機の仕分方法を示す概略図。
【図１９】搬送ライン装置によるパチンコ機の仕分方法を示す概略図。
【図２０】搬送ライン装置によるパチンコ機の仕分方法を示す概略図。
【図２１】搬送ライン装置によるパチンコ機の仕分方法を示す概略図。
【符号の説明】
【０１６５】
１０…被搬送物及び遊技機としてのパチンコ機
２１…選択搬送手段としての回転搬送部
３１…搬送ライン装置
３２…主搬送ライン
３７…搬出搬送ライン
３９ａ，３９ｂ…退避搬送部
５１…搬送制御手段、識別情報判定手段及び搬送態様決定手段としてのＣＰＵ
５２ａ〜５２ｆ…第１識別手段としての第１識別装置
５６…第２識別手段としての第２識別装置
５８…記憶手段としてのＲＡＭ
５９ａ，５９ｂ…第３識別手段としての第３識別装置
【図１】
2006232503.tif 000003
【図２】
2006232503.tif 000004
【図３】
2006232503.tif 000005
【図４】
2006232503.tif 000006
【図５】
2006232503.tif 000007
【図６】
2006232503.tif 000008
【図７】
2006232503.tif 000009
【図８】
2006232503.tif 000010
【図９】
2006232503.tif 000011
【図１０】
2006232503.tif 000012
【図１１】
2006232503.tif 000013
【図１２】
2006232503.tif 000014
【図１３】
2006232503.tif 000015
【図１４】
2006232503.tif 000016
【図１５】
2006232503.tif 000017
【図１６】
2006232503.tif 000018
【図１７】
2006232503.tif 000019
【図１８】
2006232503.tif 000020
【図１９】
2006232503.tif 000021
【図２０】
2006232503.tif 000022
【図２１】
2006232503.tif 000023